(57)【要約】      （修正有）【課題】ワイヤレス通信においてトランスペアレントな中継器のサポートを可能にする。【解決手段】ドナー基地局が、基地局によるサービスを受けるＵＥのセットへのデータ伝送、およびそのようなＵＥのセットからのデータ伝送のスケジュールを送るように構成され、ＵＥのセットに関するスケジュールおよび識別子を、基地局にサービスを提供する１つまたは複数のワイヤレスノードにさらに供給することができる。それぞれのＵＥとそれぞれのワイヤレスノードの間のそれぞれのアクセスチャネル測定が、基地局に転送されることが可能であり、基地局は、次に、ＵＥのセットに関する最適なアクセスチャネルを識別することができる。さらに、ドナー基地局は、共通の伝送タイムスロットの中でこれらのアクセスチャネル上の複数のデータ伝送をスケジュールして、それらのデータ伝送に関するセル分割利得を実現することができる。【選択図】図１
2014112842.tif 000002
【特許請求の範囲】
【請求項１】
下記を備えるワイヤレス通信の方法：
基地局によるサービスを受けるＵＥのセットに関するＵＥ  ＩＤのセットを獲得すること；
ＵＥの前記セットに関するＵＥ  ＩＤの前記セットおよびＵＬスケジューリング情報を利用して、それぞれのＵＥチャネル測定を獲得すること；および、
少なくとも部分的に前記ＵＥチャネル測定の１つまたは複数に基づいてＵＥの前記セットのサブセットにワイヤレスサービスを提供する割当てを受信すること。
【請求項２】
前記割当てに関するＵＥの前記セットの前記サブセットの選択は、少なくとも部分的に前記基地局に関連付けられた１つまたは複数のワイヤレスアクセスポイントに応じた前記それぞれのＵＥチャネル測定の特性の違いに基づく請求項１に記載の方法。
【請求項３】
ＵＥの前記セットに関する前記ＵＬスケジューリング情報を獲得することは、前記基地局から、サウンディング基準信号伝送のスケジュール、またはＵＥの前記セットのそれぞれのサブセットに関するＵＬ復調基準信号伝送のスケジュールを受信することをさらに備える請求項１に記載の方法。
【請求項４】
ＵＥ  ＩＤの前記セットを獲得することは、前記基地局から、ＵＥの前記セットのそれぞれのＵＥに関する媒体アクセス制御識別子、国際モビリティ識別子、無線一時ネットワーク識別子（ＲＮＴＩ）、制御ＲＮＴＩ、またはモバイル識別子を受信することをさらに備える請求項１に記載の方法。
【請求項５】
それぞれのＵＥチャネル測定を獲得することは、前記ＵＬスケジューリング情報に従って送信されるＵＥの前記セットのサブセットのＵＬ信号のセットを測定することをさらに備える請求項１に記載の方法。
【請求項６】
ＵＬ信号の前記セットを前記測定することの結果を前記基地局に転送することをさらに備える請求項５に記載の方法。
【請求項７】
ＵＥの前記セットの前記サブセットにワイヤレスサービスを提供する前記割当てを受信することは、少なくとも部分的にＵＬ信号の前記セットを前記測定することの結果に基づく請求項６に記載の方法。
【請求項８】
前記割当ては、前記基地局に関連付けられたそれぞれの中継ノードによって実行されるＵＬ信号の前記セットの複数の独立した測定に基づき、さらに前記割当ては、前記中継ノードのサブセットのいずれが、ＵＥの前記セットの前記サブセットの前記１つまたは複数に好ましいサービスを提供するかに基づく請求項７に記載の方法。
【請求項９】
前記割当ては、増分冗長性ポリシーを利用してＵＥの前記セットの前記サブセットの前記１つまたは複数にサービスを提供するように複数の中継ノードのための命令を備える請求項７に記載の方法。
【請求項１０】
前記増分冗長性ポリシーは、復号するため、信号調整するため、およびＵＥの前記セットの前記サブセットの前記１つまたは複数に再送信するために、特定のチャネルまたは特定のトラヒックを前記複数の中継ノードのそれぞれのノードと互いに関係付けることを含む請求項９に記載の方法。
【請求項１１】
前記割当ては、下記の少なくとも１つ以上の組み合わせを実行する請求項１に記載の方法：
ＵＥの前記セットの前記サブセットにサービスを提供するよう１つまたは複数のピコセルを割り当てること；
ＵＥの前記セットの前記サブセットにサービスを提供するよう１つまたは複数の遠隔無線ヘッドを割り当てること；
ＵＥの前記セットの前記サブセットにサービスを提供するよう１つまたは複数のスマートリピータを割り当てること；および、
ＵＥの前記セットの前記サブセットにサービスを提供するよう１つまたは複数の増分冗長中継器を割り当てること。
【請求項１２】
ワイヤレス通信のために構成された装置、該装置は下記を備える：
ＵＥを相手に、さらに前記装置に関連付けられ、前記装置から遠隔に配置されたアクセスポイントのセットを相手にワイヤレス信号を交換するために構成されたワイヤレス通信インターフェース；
相対アクセスチャネル測定に基づいて、前記ＵＥに選択的アクセスポイントサービスを提供するように構成された命令を格納するためのメモリ；および、
前記命令を実施するようにモジュールを実行するためのデータプロセッサ、
ここにおいて、前記モジュールは、下記を備える：
前記ＵＥに関する識別子（ＩＤ）および伝送スケジュールをアクセスポイントの前記セットと共有する配信モジュール；および、
アクセスポイントの前記セットのサブセットによって供給されるそれぞれのＵＥ信号測定に基づいて、前記ＵＥにサービスを提供すべきアクセスポイントの前記セットの少なくとも１つのアクセスポイントを選択する仲介モジュール。
【請求項１３】
前記それぞれのＵＥ信号測定の間で前記ＵＥ信号測定の特性が異なるかどうかを識別する分析モジュールをさらに備える請求項１２に記載の装置。
【請求項１４】
前記特性は、前記ＵＥ信号測定の信号強度特性、信号品質特性、または信号雑音特性を備える請求項１３に記載の装置。
【請求項１５】
前記特性は、信号強度、信号対雑音比、ライズオーバサーマル、パスロス、相対信号干渉、実現可能な帯域幅、または実現可能なデータレート、あるいは以上の組合せを備える請求項１３に記載の装置。
【請求項１６】
前記仲介モジュールは、前記１つのアクセスポイントによって供給されるＵＥ信号測定に関する特性の値に基づいて、前記ＵＥにサービスを提供すべきアクセスポイントの前記セットの中の１つのアクセスポイントを選択する請求項１３に記載の装置。
【請求項１７】
前記仲介モジュールは、アクセスポイントの前記セットの前記サブセットの他のアクセスポイントによって供給されるそれぞれのＵＥ信号測定に関係のある前記特性のそれぞれの値と比べて、前記特定の前記値を分析するために前記メモリの中に格納された選択ポリシーを使用する請求項１６に記載の装置。
【請求項１８】
前記選択ポリシーは、前記特性の値の好ましい格付け、または前記特性の目標値を定義する請求項１７に記載の装置。
【請求項１９】
前記仲介モジュールは、前記特性の前記値が前記目標値に最も近いため、または前記特性の前記値が、前記好ましい格付けに基づいて、前記特性の前記それぞれの値を超えているために、前記１つのアクセスポイントを選択する請求項１８に記載の装置。
【請求項２０】
前記仲介モジュールは、アクセスポイントの前記セットの複数のアクセスポイントのそれぞれのＵＥ信号測定に関連する前記特性のそれぞれの値に基づいて、前記ＵＥにサービスを提供すべきアクセスポイントの前記セットの前記複数のアクセスポイントを選択する請求項１３に記載の装置。
【請求項２１】
前記ＵＥに関連するそれぞれのトラヒック、チャネル、またはデータストリームをアクセスポイントの前記セットの前記複数のアクセスポイントのそれぞれのアクセスポイントに割り当てて、前記ＵＥに関する増分冗長サービスを円滑にする冗長性ポリシーを生成する統合モジュールをさらに備える請求項２０に記載の装置。
【請求項２２】
前記冗長性ポリシーは、アクセスポイントの前記セットの前記複数のアクセスポイントのそれぞれのアクセスポイントに前記それぞれのトラヒック、チャネル、またはデータストリームを、前記それぞれのトラヒック、チャネル、またはデータストリームに関係があるアクセスポイントの前記セットの前記複数のアクセスポイントによって供給されるそれぞれのＵＥ信号測定の１つまたは複数の特性に基づいて割り当てることを含む請求項２１に記載の装置。
【請求項２３】
下記の手段を備えるワイヤレス通信のための装置：
通信インターフェースを使用して、基地局によるサービスを受けるＵＥのセットに関するＵＥ  ＩＤのセットを獲得するための手段；
ＵＥの前記セットに関するＵＥ  ＩＤの前記セット、およびＵＬスケジューリング情報を利用して、それぞれのＵＥチャネル測定を獲得する信号プロセッサを使用するための手段；および、
少なくとも部分的に前記ＵＥチャネル測定の１つまたは複数に基づいてＵＥの前記セットのサブセットにワイヤレスサービスを提供する割当てを受信するために前記通信インターフェースを使用するための手段。
【請求項２４】
下記を備えるワイヤレス通信のために構成された少なくとも１つのプロセッサ：
基地局によるサービスを受けるＵＥのセットに関するＵＥ  ＩＤのセットを獲得するモジュール；
ＵＥの前記セットに関するＵＥ  ＩＤの前記セット、およびＵＬスケジューリング情報を利用して、それぞれのＵＥチャネル測定を獲得するモジュール；および、
少なくとも部分的に前記ＵＥチャネル測定の１つまたは複数に基づいてＵＥの前記セットのサブセットにワイヤレスサービスを提供する割当てを受信するモジュール。
【請求項２５】
下記のコードを記録したコンピュータ可読媒体を備えるコンピュータプログラム製品：
コンピュータに、基地局によるサービスを受けるＵＥのセットに関するＵＥ  ＩＤのセットを獲得させるコード；
前記コンピュータに、ＵＥの前記セットに関するＵＥ  ＩＤの前記セット、およびＵＬスケジューリング情報を利用して、それぞれのＵＥチャネル測定を獲得させるコード；および、
前記コンピュータに、少なくとも部分的に前記ＵＥチャネル測定の１つまたは複数に基づいてＵＥの前記セットのサブセットにワイヤレスサービスを提供する割当てを受信させるコード。
【請求項２６】
リソース割当てを備えるワイヤレス信号をＵＥのセットに直接に送信し、前記リソース割当ては、共通のワイヤレスリソース上にＵＥの前記セットの各ＵＥに関する伝送をスケジュールすること、および
１つまたは複数のワイヤレスノード経由でＵＥの前記セットへのデータ伝送、またはＵＥの前記セットからのデータ伝送をルーティングして、少なくとも、前記データ伝送に関する前記共通のワイヤレスリソース上でセル分割利得を実現することを備えるワイヤレス通信の方法。
【請求項２７】
前記共通のワイヤレスリソースのために共通のアップリンク（ＵＬ）ワイヤレスリソースを使用することをさらに備え、前記データ伝送は、前記１つまたは複数のワイヤレスノード経由でＵＥの前記セットから受信され、さらに前記セル分割利得は、前記共通のＵＬワイヤレスリソース上で観測される請求項２６に記載の方法。
【請求項２８】
前記１つまたは複数のワイヤレスノードのそれぞれのノードから共通のＤＬワイヤレスリソース上でＤＬデータ伝送をルーティングして、前記共通のＤＬワイヤレスリソース上でＤＬセル分割利得を実現することをさらに備える請求項２６に記載の方法。
【請求項２９】
ＵＥの前記セットの各ＵＥに関するＤＬデータ伝送およびＵＬデータ伝送をルーティングするためにそれぞれのワイヤレス中継器を使用すること、または
ＵＥの前記セットの少なくとも１つのＵＥに関する前記ＤＬデータ伝送または前記ＵＬデータ伝送をルーティングするために複数のワイヤレス中継器を使用することの少なくともいずれかをさらに備える請求項２６に記載の方法。
【請求項３０】
前記１つまたは複数のワイヤレスノードのＤＬ送信範囲を、基地局に、前記１つまたは複数のワイヤレスノードによって使用されるＤＬワイヤレスリソースのセットを空白にさせることによって、増大させることをさらに備える請求項２６に記載の方法。
【請求項３１】
ＵＥの前記セットの少なくとも１つのＵＥのＵＬ送信範囲を、ＵＥの前記セットのさらなる少なくとも１つのＵＥに、ＵＥの前記セットの前記少なくとも１つのＵＥによって使用されるＵＬワイヤレスリソースのセットを空白にするよう命令することによって、増大させることをさらに備える請求項２６に記載の方法。
【請求項３２】
ＵＥの前記セットのサブセットにそれぞれのスクランブリング符号を割り当てて、前記共通のワイヤレスリソース上で同時に送られる複数の前記データ伝送のそれぞれのデータ伝送を区別することを円滑にすることをさらに備える請求項２６に記載の方法。
【請求項３３】
所定のスクランブリング符号のセットから前記スクランブリング符号を導き出すこと、または
ＵＥの前記セットの前記サブセットのそれぞれのＵＥに一意の識別子に応じて前記スクランブリング符号を生成することの少なくともいずれかをさらに備える請求項３２に記載の方法。
【請求項３４】
前記スクランブリング符号を割り当てることは、下記の少なくともいずれかをさらに備える請求項３２に記載の方法：
ＵＥの前記セットの前記サブセットのそれぞれのＵＥにスクランブリング符号シードまたはスクランブリング符号シーディング関数を送って、前記スクランブリング符号の１つの符号の生成を可能にすること；
物理層制御チャネルまたは層２制御チャネルを利用して、前記スクランブリング符号の１つまたは複数を備える割当て許可を送信すること；または
層３シグナリングを使用して、ＵＥの前記セットの前記サブセットの１つまたは複数のＵＥに前記スクランブリング符号を明示的に送ること。
【請求項３５】
下記の少なくともいずれかによって、前記１つまたは複数のワイヤレスノードとＵＥの前記セットの間の中継チャネルの前記セットに関係のあるＣＱＩ情報を獲得することをさらに備える請求項２６に記載の方法：
中継チャネルのセットのそれぞれの中継チャネルに関する時分割複信（ＴＤＤ）チャネル相互関係を使用して、前記１つまたは複数のワイヤレスノードのそれぞれのノードに対するそれぞれのパスロスを推定すること；または、
ＵＥの前記セットの前記サブセットによって送信された低再使用中継器専用チャネル品質指標（ＣＱＩ）基準信号を分析して、ＵＥの前記セットの前記サブセットに関連付けられたそれぞれのアクセスチャネルに関する実現可能なＣＱＩを推定すること。
【請求項３６】
下記をさらに備える請求項２６に記載の方法：
有線またはワイヤレスのバックホールリンクを介して前記１つまたは複数のワイヤレスノードの少なくとも１つからＵＬ信号測定を獲得すること；
前記ＵＬ信号測定を分析して、前記１つまたは複数のワイヤレスノードの少なくとも１つによるサービスを受けるＵＥの前記セットの１つまたは複数のＵＥに関するＵＬ電力制御のセットを導き出すこと；および、
ＵＬ電力制御の前記セットに基づいて、前記１つまたは複数のワイヤレスノードの少なくとも１つを介して前記１つまたは複数のＵＥにＵＬ電力制御コマンドを発行すること。
【請求項３７】
ワイヤレス通信のために構成された装置、該装置は下記を備える：
基地局を相手に、さらにＵＥのセットを相手にワイヤレス信号を交換するために構成された通信インターフェース；
ＵＥの前記セットの１つまたは複数のＵＥに関する遠隔ノードによって支援されたワイヤレスサービスを提供するように構成された命令を格納するためのメモリ；および、
前記命令を実施するモジュールを実行するためのデータプロセッサ、
ここにおいて、前記モジュールは、下記を備える：
装置に関連付けられた複数のワイヤレスノードによって提供されるワイヤレスリソースの単一のセットを、ＵＥの前記セットにかかわる複数のデータストリームに割り当てる、ＵＥの前記セットに関するリソーススケジュールを生成するスケジューリングモジュール；および、
前記通信インターフェースを使用して、前記複数のデータストリームに参加する前記複数のワイヤレスノードのそれぞれのノードに前記リソーススケジュールを送る配信モジュール。
【請求項３８】
前記スケジューリングモジュールは、前記複数のワイヤレスノードのそれぞれのノードに前記複数のデータストリームのそれぞれのデータストリームを割り当てる請求項３７に記載の装置。
【請求項３９】
前記スケジューリングモジュールは、前記複数のワイヤレスノードの１つまたは複数をそれぞれが備える前記複数のワイヤレスノードのそれぞれのサブセットに前記複数のデータストリームのそれぞれのデータストリームを割り当てる請求項３７に記載の装置。
【請求項４０】
前記複数のワイヤレスノードの複数のノードを備える前記複数のワイヤレスノードの前記サブセットの１つのサブセットに関する増分冗長性ポリシーを確立する統合モジュールをさらに備える請求項３９に記載の装置。
【請求項４１】
前記増分冗長性ポリシーは、前記複数のワイヤレスノードの前記サブセットの前記１つのサブセットのそれぞれのワイヤレスノードにデータストリームのいくつかの部分を割り当てることを含む請求項４０に記載の装置。
【請求項４２】
ワイヤレスリソースの前記単一のセットと同時である装置の伝送の電力を低減する減衰モジュールをさらに備える請求項３７に記載の装置。
【請求項４３】
前記スケジューリングモジュールは、ワイヤレスリソースの前記単一のセットと同時である前記装置の前記伝送をスケジュール変更し、さらに前記減衰モジュールは、ワイヤレスリソースの前記単一のセットと同時である伝送タイムスロット中、装置の送信電力を０に低減する請求項４２に記載の装置。
【請求項４４】
前記複数のワイヤレスノードとＵＥの前記セットの間の複数の伝送を区別するように前記複数のデータストリームの１つまたは複数に関する直交符号を円滑にする符号化モジュールをさらに備える請求項３７に記載の装置。
【請求項４５】
前記複数のワイヤレスノードとＵＥの前記セットの間で確立されたワイヤレスチャネルにおけるパスロスを推定するように時分割複信（ＴＤＤ）チャネル相互関係を使用する推定モジュールをさらに備える請求項３７に記載の装置。
【請求項４６】
前記スケジューリングモジュールは、前記リソーススケジュール内に、ＵＥの前記セットの１つのＵＥが低再使用ノード専用のチャネル品質指標基準信号（低再使用ノード専用のＣＱＩ−ＲＳ）を送信するようにするコマンドを含み、
前記通信インターフェースは、ＵＥの前記セットの前記１つのＵＥからアップリンクチャネル上で前記低再使用ノード専用のＣＱＩ−ＲＳを受信し、さらに
前記測定モジュールは、前記低再使用ノード専用のＣＱＩ−ＲＳを分析して、ＵＥの前記セットの前記１つのＵＥによって利用されるワイヤレスチャネルに関するパスロスを推定する請求項３７に記載の装置。
【請求項４７】
前記複数のワイヤレスノードの１つまたは複数は、
トランスペアレントなリピータ、
トランスペアレントなワイヤレス中継器、
トランスペアレントなピコセル、
遠隔無線ヘッド、
スマートリピータ、
増分冗長中継器、または
以上の組合せを備える請求項３７に記載の装置。
【請求項４８】
下記手段を備えるワイヤレス通信のために構成された装置：
ＵＥのセットに、共通のワイヤレスリソース上でＵＥの前記セットの各ＵＥに関する伝送をスケジュールするリソース割当てを直接に送信するようにワイヤレストランシーバを使用するための手段；および、
１つまたは複数のワイヤレスノード経由でＵＥの前記セットのそれぞれのデータ伝送をルーティングして、少なくとも前記共通ワイヤレスリソース上で、前記データ伝送の少なくとも１つに関するセル分割利得を実現するように前記ワイヤレストランシーバを使用するための手段。
【請求項４９】
下記を備えるワイヤレス通信のために構成された少なくとも１つのプロセッサ：
ＵＥのセットに、共通のワイヤレスリソース上でＵＥの前記セットの各ＵＥに関する伝送をスケジュールするリソース割当てを直接に送信するモジュール；および、
１つまたは複数のワイヤレスノード経由でＵＥの前記セットのそれぞれのデータ伝送をルーティングして、少なくとも前記共通ワイヤレスリソース上で、前記データ伝送の少なくとも１つに関するセル分割利得を実現するモジュール。
【請求項５０】
下記コードを記録したコンピュータ可読媒体を備えるコンピュータプログラム製品：
共通のワイヤレスリソース上で、ＵＥのセットに対して、ＵＥの前記セットの各ＵＥに関する伝送をスケジュールするリソース割当てを直接に、コンピュータに送信させるためのコード；および、
前記コンピュータに、１つまたは複数のワイヤレスノード経由でＵＥの前記セットのそれぞれのデータ伝送をルーティングさせて、少なくとも前記共通ワイヤレスリソース上で、前記データ伝送の少なくとも１つに関するセル分割利得を実現するためのコード。
【発明の詳細な説明】
【技術分野】
【０００１】
[米国特許法第１１９条の下における優先権の主張]
本特許出願は、本特許出願の譲受人に譲渡され、参照により本明細書に明確に組み込まれている、２００９年４月２１に出願した「ＭＥＴＨＯＤＳ  ＡＮＤ  ＡＰＰＡＲＡＴＵＳ  ＴＯ  ＥＮＡＢＬＥ  ＳＵＰＰＯＲＴ  ＦＯＲ  ＴＲＡＮＳＰＡＲＥＮＴ  ＲＥＬＡＹＳ」という名称の米国特許仮出願第６１／１７１，３７４号の優先権を主張するものである。
【０００２】
以下の説明は、一般に、ワイヤレス通信に関し、より詳細には、ユーザによって展開されたブロードバンドベースのワイヤレスアクセスポイントを使用するワイヤレスストリームに関するサービス品質関連付けの調停を円滑にすることに関する。
【背景技術】
【０００３】
ワイヤレス通信システムは、音声コンテンツ、データコンテンツなどの様々なタイプの通信コンテンツを供給するように広く展開されている。通常のワイヤレス通信システムは、利用可能なシステムリソース（例えば、帯域幅、送信電力など）を共有することによって複数のユーザとの通信をサポートすることができる多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどが含まれ得る。さらに、これらのシステムは、第３世代パートナーシッププロジェクト（３ＧＰＰ）、３ＧＰＰロングタームエボリューション（ＬＴＥ）、ウルトラモバイルブロードバンド（ＵＭＢ）などの規格、またはエボリューションデータオプティマイズド（ＥＶ−ＤＯ）などのマルチキャリアワイヤレス規格、あるいは以上の規格の１つまたは複数の改訂版などに準拠することが可能である。
【０００４】
一般に、ワイヤレス多元接続通信システムは、複数のモバイルデバイスに関する通信を同時にサポートすることができる。各モバイルデバイスは、順方向リンク上の伝送、および逆方向リンク上の伝送を介して１つまたは複数の基地局と通信することができる。順方向リンク（またはダウンリンク）とは、基地局からモバイルデバイスに至る通信リンクを指し、逆方向リンク（またはアップリンク）とは、モバイルデバイスから基地局に至る通信リンクを指す。さらに、モバイルデバイスと基地局の間の通信は、単入力単出力（ＳＩＳＯ）システム、多入力単出力（ＭＩＳＯ）システム、多入力多出力（ＭＩＭＯ）システムなどを介して確立され得る。
【０００５】
ワイヤレス通信における１つの最近の技術的進歩が、既存のマクロ基地局展開内に小型の低電力の基地局またはワイヤレスアクセスポイントを組み込むことである。これらの低電力基地局は、近くのマクロ基地局によって管理されることが可能であり、あるいはワイヤレスネットワークによって独立した基地局として扱われることが可能である。通常、低電力基地局は、ショッピングモール、オフィスビル、集合住宅などの内部などの屋内に展開されて、所与の建物にターゲットを絞ったセルラカバレッジを提供すること、または劣悪なカバレッジエリア内で屋外に分散させられて、或る特定の地理的領域にターゲットを絞ったセルラカバレッジを提供することが可能である。これらの基地局は、マクロ展開を補足するための複数の利点を有する。第１に、小型の低電力基地局は、一般に、完全なマクロ基地局と比べて、それほど高価ではなく、より低費用でマクロ展開を補足することができる。第２に、これらの基地局は、通常、はるかに低い電力で、より短い距離にわたって伝送するため、低電力基地局の補足的な展開は、周囲のネットワークに対する干渉を制限するように調整されることが可能である。
【０００６】
様々なタイプの補足的な基地局または低電力基地局が存在する。１つの一般的な例が、中継ノードである。中継ノードとは、有線バックホールに結合されない基地局様のエンティティを指す。さらに、中継ノードは、一般に、通常の５０ワットのマクロ基地局または同様のマクロ基地局と比べて小さいカバレッジエリアを有する低電力基地局である。さらに、中継ノードは、通常、１つまたは複数のドナー基地局に従属し、そのような基地局によって制御される。
【０００７】
動作の際、中継ノードは、ドナー基地局から無線でデータを受信し、さらにそのデータを、中継ノードによる（さらにドナー基地局による）サービスを受けるアクセス端末装置（ＡＴ）に転送することができる。中継ノードは、ドナー基地局と同一のワイヤレススペクトルを利用してＡＴにデータを転送することができ（帯域内中継器）、あるいは第１のスペクトル上でデータを受信し、第２のスペクトル上でそのデータを再送信することができる（帯域外中継器）。帯域内中継器は、しばしば、所与のタイムフレーム内で送信すること、または受信することができるが、その両方を行うことはできない半二重エンティティであるのに対して、帯域外中継器は、しばしば、同時の送受信（異なる周波数帯域上で）を行うことができる全二重であることが可能である。
【０００８】
前述した一般的な特徴に加えて、中継ノードのいくつかの変種が存在する。例えば、トランスペアレントな中継ノードとは、ＡＴに見えない、またはＡＴによって別個のエンティティとして認識されない中継ノードを指す。むしろ、トランスペアレントな中継器は、少なくともＡＴから見て、ドナー基地局と区別がつかない。したがって、トランスペアレントな中継器は、典型的には、ドナー基地局のように、セルアイデンティティ情報、獲得および同期情報、などを単に再送する。トランスペアレントな中継器の最も一般的な機能は、ＡＴに伝送される信号の送信電力を高めることである。一部の事例において、トランスペアレントな中継器は、信号振幅の増大を単にもたらすのとは対照的に、より高い品質の信号をもたらすために、それらの信号を復号し、フィルタリングし、その後、再送信することができる。増分冗長中継器（ＩＲ中継器）と呼ばれる１つの特定の中継器は、基地局スケジューリングメッセージを無線で監視して、ＡＴに向けられたデータトラヒックまたは制御トラヒックを識別することができる。ＩＲ中継器は、このトラヒックを復調し、さらに３ＧＰＰロングタームエボリューションシステムにおけるハイブリッド自動再送要求（ＨＡＲＱ）送信などの、アップリンクまたはダウンリンクのフィードバック関連のシグナリングの際にＡＴを支援することができる。復号されると、ＩＲ中継器は、オプションとして、復調された信号をフィルタリングし、その後、そのトラヒックを再変調して、ＡＴに再送信することができる。
【０００９】
中継ノードは、いくつかの利点を有するものの、これらのエンティティをマクロ展開に組み込むことに関して、いくつかの欠点および設計上の課題が存在する。例えば、半二重ノードは、半二重動作の性質のため、より少ない送信リソースおよび受信リソースを有する。このことは、中継ノードの有効性を低下させがちであり、さらに潜在的なローディング能力（例えば、いくつのＡＴに同時にサービスが提供され得るか）を低下させる可能性がある。さらに、ＡＴは、一般に、一部は送信サブフレームとして半二重中継ノードには利用できない可能性がある、特定のタイムサブフレームの中でいくつかの制御信号を探すように構成されているので、基地局と中継ノードの間、または基地局とＡＴの間の制御シグナリングを管理することの複雑さが生じる。これら、およびその他の課題が、ワイヤレスネットワーキングにおける現在の研究の焦点である。
【発明の概要】
【００１０】
以下に、１つまたは複数の態様の簡略化された概要を、そのような態様の基本的な理解をもたらすために提示する。この概要は、企図されるすべての態様の広範な概観ではなく、すべての態様の重要な要素または不可欠な要素を特定することも、いずれかの態様、またはすべての態様の範囲を線引きすることも意図していない。この概要の唯一の目的は、後段で提示されるより詳細な説明の前置きとして、本開示の１つまたは複数の態様のいくつかの概念を簡略化された形態で提示することである。
【００１１】
本開示は、ワイヤレス基地局展開における補足的ワイヤレスノードの改良された実施を可能にする。一部の態様において、ドナー基地局が、この基地局によるサービスを受けるユーザ機器（ＵＥ）のセットへのデータ伝送、およびそのようなセットからのデータ伝送のスケジュールを送るように構成される。この基地局は、ＵＥのそのセットに関するスケジュールおよび識別子を、この基地局にサービスを提供する１つまたは複数のワイヤレスノードにさらに供給することができる。それぞれのＵＥとそれぞれのワイヤレスノードの間のそれぞれのアクセスチャネル測定が、この基地局に転送されることが可能であり、基地局は、最適なアクセスチャネルを特定し、さらにそれに相応して、ＵＥのセットのサブセットにサービスを提供すべきワイヤレスノードを割り当てることができる。
【００１２】
本開示の他の態様において、ドナー基地局は、ＵＥのセットに関する複数のデータ伝送のセットを、単一の信号タイムスロット（例えば、フレーム、サブフレーム、サブスロットなど）内で、ワイヤレスリソースの共通のブロックにスケジュールする。特定の態様において、複数のデータ伝送のセットのそれぞれのデータ伝送が、そのセットの他の送信から区別できるように、直交符号化スキームが使用されることが可能である。さらに、ドナー基地局は、ワイヤレスノードのサブセットを、そのセットのデータ伝送のうちの１つまたは複数に割り当てて、それらのデータ伝送の少なくともいくつかのデータ伝送上でセル分割利得を実現する。少なくとも１つの態様において、ドナー基地局は、ワイヤレスリソースの共通ブロック上でドナー基地局自らの送信を軽減し、または空白にして、ワイヤレスノードの範囲を向上させることができる。他の態様は、基地局によって実施される、または半二重ワイヤレスノードに結合された場合にアップリンク制御レポートを供給するように構成されたワイヤレス端末装置によって実施される、そのようなレポートを獲得するための様々な機構を開示する。
【００１３】
他の開示される態様において、提供されるのは、ワイヤレス通信の方法である。この方法は、基地局によるサービスを受けるＵＥのセットに関するユーザ機器識別子のセット（ＵＥ  ＩＤのセット）を獲得することを備えることが可能である。さらに、この方法は、ＵＥ  ＩＤのセット、およびＵＥのセットに関するアップリンクスケジューリング情報（ＵＬスケジューリング情報）を利用して、それぞれのＵＥチャネル測定を獲得することを備えることが可能である。さらに、この方法は、少なくとも部分的にＵＥチャネル測定の１つまたは複数に基づいてＵＥのセットのサブセットにワイヤレスサービスを提供する割当てを受信することを備えることが可能である。
【００１４】
さらに他の態様において、提供されるのは、ワイヤレス通信のために構成された装置である。この装置は、ＵＥを相手に、さらにこの装置に関連付けられ、この装置から遠隔に配置されたアクセスポイントのセットを相手にワイヤレス信号を交換するために構成されたワイヤレス通信インターフェースを備えることが可能である。さらに、この装置は、アクセスポイントのセットの相対信号測定に基づいて、ＵＥに選択的アクセスポイントサービスを提供するように構成された命令を格納するためのメモリと、それらの命令を実施するようにモジュールを実行するためのデータプロセッサとを備えることが可能である。詳細には、これらのモジュールは、ＵＥに関する識別子（ＩＤ）および送信スケジュールをアクセスポイントのセットと共有する配信モジュールと、アクセスポイントのセットのサブセットによって供給されるそれぞれのＵＥ信号測定に基づいて、ＵＥにサービスを提供すべきアクセスポイントのセットの少なくとも１つを選択する仲介モジュールとを備えることが可能である。
【００１５】
以上に加えて、本開示は、ワイヤレス通信のための装置を提供する。この装置は、通信インターフェースを使用して、基地局によるサービスを受けるＵＥのセットに関するＵＥ
ＩＤのセットを獲得するための手段を備えることが可能である。さらに、この装置は、ＵＥのセットに関するＵＥ  ＩＤのセットおよびＵＬスケジューリング情報を利用して、それぞれのＵＥチャネル測定を獲得する信号プロセッサを使用するための手段を備えることが可能である。少なくとも一部の態様において、この装置は、少なくとも部分的にＵＥチャネル測定の１つまたは複数に基づいてＵＥのセットのサブセットにワイヤレスサービスを提供する割当てを受信するために、通信インターフェースを使用するための手段を備えることも可能である。
【００１６】
１つまたは複数のさらなる態様によれば、開示されるのは、ワイヤレス通信のために構成された少なくとも１つのプロセッサである。このプロセッサは、基地局によるサービスを受けるＵＥのセットに関するＵＥ  ＩＤのセットを獲得するモジュールを備えることが可能である。このプロセッサは、ＵＥのセットに関するＵＥ  ＩＤのセットおよびＵＬスケジューリング情報を利用して、それぞれのＵＥチャネル測定を獲得するモジュールをさらに備えることが可能である。さらに、このプロセッサは、少なくとも部分的にＵＥチャネル測定の１つまたは複数に基づいてＵＥのセットのサブセットにワイヤレスサービスを提供する割当てを受信するモジュールを備えることも可能である。
【００１７】
少なくとも１つのさらなる態様において、開示されるのは、コンピュータ可読媒体を備えるコンピュータプログラム製品である。コンピュータ可読媒体は、コンピュータに、基地局によるサービスを受けるＵＥのセットに関するＵＥ  ＩＤのセットを獲得させるコードを備えることが可能である。コンピュータ可読媒体は、コンピュータに、ＵＥのセットに関するＵＥ  ＩＤのセットおよびＵＬスケジューリング情報を利用して、それぞれのＵＥチャネル測定を獲得させるコードをさらに備えることが可能である。以上に加えて、コンピュータ可読媒体は、コンピュータに、少なくとも部分的にＵＥチャネル測定の１つまたは複数に基づいてＵＥのセットのサブセットにワイヤレスサービスを提供する割当てを受信させるコードを備えることが可能である。
【００１８】
本開示のさらに他の態様によれば、提供されるのは、ワイヤレス通信の方法である。この方法は、リソース割当てを備えるワイヤレス信号をＵＥのセットに直接に送信することを備えることが可能であり、このリソース割当ては、共通のワイヤレスリソース上にＵＥのセットの各ＵＥに関する伝送をスケジュールする。さらに、この方法は、１つまたは複数のワイヤレスノード経由でＵＥのセットへのデータ伝送、またはＵＥのセットからのデータ伝送をルーティングして、少なくとも、それらのデータ伝送に関する共通ワイヤレスリソース上でセル分割利得を実現することを備えることが可能である。
【００１９】
開示される別の態様において、提供されるのは、ワイヤレス通信のために構成された装置である。この装置は、基地局を相手に、さらにＵＥのセットを相手にワイヤレス信号を交換するために構成された通信インターフェースを備えることが可能である。さらに、この装置は、ＵＥのセットの１つまたは複数のＵＥに関する遠隔ノードによって支援されたワイヤレスサービスを提供するように構成された命令を格納するためのメモリと、それらの命令を実施するモジュールを実行するためのデータプロセッサとを備えることが可能である。具体的には、これらのモジュールは、装置に関連付けられた複数のワイヤレスノードによって提供されるワイヤレスリソースの単一のセットを、ＵＥのセットにかかわる複数のデータストリームに割り当てる、ＵＥのセットに関するリソーススケジュールを生成するスケジューリングモジュールを備えることが可能である。少なくとも１つの態様において、これらのモジュールは、通信インターフェースを使用して、複数のデータストリームに参加する複数のワイヤレスノードのそれぞれのノードにリソーススケジュールを送る配信モジュールをさらに備えることが可能である。
【００２０】
或る特定の態様によれば、提供されるのは、ワイヤレス通信のために構成された装置である。この装置は、ＵＥのセットにリソース割当てを直接に送信するようにワイヤレストランシーバを使用するための手段を備えることが可能であり、このリソース割当ては、共通のワイヤレスリソース上でＵＥのセットの各ＵＥに関する伝送をスケジュールする。さらに、この装置は、１つまたは複数のワイヤレスノード経由でＵＥのセットのそれぞれのデータ伝送をルーティングして、少なくとも共通ワイヤレスリソース上で、それらのデータ伝送の少なくとも１つに関するセル分割利得を実現するようにワイヤレストランシーバを使用するための手段を備えることが可能である。
【００２１】
別の態様において、開示されるのは、ワイヤレス通信のために構成された少なくとも１つのプロセッサである。このプロセッサは、ＵＥのセットにリソース割当てを直接に送信するモジュールを備えることが可能であり、このリソース割当ては、共通のワイヤレスリソース上でＵＥのセットの各ＵＥに関する伝送をスケジュールする。さらに、プロセッサは、１つまたは複数のワイヤレスノード経由でＵＥのセットのそれぞれのデータ伝送をルーティングして、少なくとも共通ワイヤレスリソース上で、それらのデータ伝送の少なくとも１つに関するセル分割利得を実現するモジュールを備えることが可能である。
【００２２】
さらに別の態様において、提供されるのは、コンピュータ可読媒体を備えるコンピュータプログラム製品である。このコンピュータ可読媒体は、コンピュータに、ユーザ機器のセット（ＵＥのセット）にリソース割当てを直接に送信させるためのコードを備えることが可能であり、このリソース割当ては、共通のワイヤレスリソース上でＵＥのセットの各ＵＥに関する伝送をスケジュールする。さらに、このコンピュータ可読媒体は、コンピュータに、１つまたは複数のワイヤレスノード経由でＵＥのセットのそれぞれのデータ伝送をルーティングして、少なくとも共通ワイヤレスリソース上で、それらのデータ伝送の少なくとも１つに関するセル分割利得を実現するようにさせるためのコードを備えることが可能である。
【００２３】
以上、および関連する目的の実現のため、１つまたは複数の態様は、後段で詳しく説明され、特許請求の範囲において特に指摘される特徴を備える。以下の説明、および添付の図面は、その１つまたは複数の態様のいくつかの例示的な特徴を詳細に説明する。しかし、これらの特徴は、様々な態様の原理が使用されることが可能である様々な様式のいくつかを示すに過ぎず、この説明は、すべてのそのような態様、および均等の態様を含むことを意図する。
【図面の簡単な説明】
【００２４】
【図１】ワイヤレス通信のためのユーザ機器（ＵＥ）の集団のリアルタイムノード割当てのための例示的なシステムを示すブロック図。
【図２】開示される態様によるワイヤレス中継ノードにマルチノード管理を提供する例示的な装置を示すブロック図。
【図３】ワイヤレスノードのセットによって提供される複数のアクセスチャネルを利用してセル分割をもたらすサンプルの装置を示すブロック図。
【図４】本開示の特定の態様による選択的なセル分割のための例示的なワイヤレス環境を示すブロック図。
【図５】本開示の他の態様による例示的なワイヤレス通信装置を示すブロック図。
【図６】トランスペアレントな中継器のセットによって提供される好ましいアクセスチャネルを識別するためのサンプルの方法を示す流れ図。
【図７】或る態様による複数のワイヤレスノードの間のトラヒック配信のための例示的な方法を示す流れ図。
【図８】他の態様によるワイヤレス環境におけるセル分割のためのサンプルの方法を示す流れ図。
【図９】中継ノードを利用してワイヤレス通信にトラヒック割当ておよび範囲増大を提供する例示的な方法を示す流れ図。
【図１０】ワイヤレス通信において使用される中継ノードにマルチノードトラヒック管理を提供するサンプルのシステムを示すブロック図。
【図１１】ワイヤレス通信における中継ノードにセル分割および範囲増大を提供する例示的なシステムを示すブロック図。
【図１２】本開示の様々な態様を実施することができるサンプルのワイヤレス通信装置を示すブロック図。
【図１３】さらなる態様によるワイヤレス通信のためのサンプルのセルラ環境を示すブロック図。
【図１４】開示される１つまたは複数の態様に適した例示的なセルベースのワイヤレス通信構成を示すブロック図。
【発明を実施するための形態】
【００２５】
次に、様々な態様が、図面を参照して説明され、すべての図面で同様の参照符号が同様の要素を指すように使用される。以下の説明では、説明のために、多数の特定の詳細が、１つまたは複数の態様の徹底的な理解をもたらすように示される。しかし、そのような態様は、これらの特定の詳細なしに実施され得ることが明白であり得る。他の実例では、よく知られた構造およびデバイスが、１つまたは複数の態様を説明することを円滑にするためにブロック図形態で示される。
【００２６】
さらに、本開示の様々な態様が、後段で説明される。本明細書の教示は、多種多様な形態で実現され得ること、および本明細書で開示される任意の特定の構造および／または機能は、単に代表的であるに過ぎないことが明白であろう。本明細書の教示に基づいて、本明細書で開示される態様は、他のいずれの態様とも無関係に実施され得ること、およびこれらの態様の２つ以上が様々な仕方で組み合わされ得ることが当業者には認識されよう。例えば、本明細書で説明される態様をいくつでも使用して、装置が実施されることが可能であり、さらに／または方法が実施されることが可能である。さらに、本明細書で説明される態様の１つまたは複数に加えて、またはそのような１つまたは複数の態様以外の他の構造および／または機能を使用して、装置が実施され、さらに／または方法が実施されることが可能である。例として、本明細書で説明される方法、デバイス、システム、および装置の多くは、とりわけ、ワイヤレス通信ネットワークにおいてチャネル差別化、セル分割、および範囲増大を実現するようにトランスペアレントな中継ノードによって提供されるアクセスチャネルを管理する文脈において説明される。同様の技術が、他の通信環境に適用されることも可能であることが当業者には認識されよう。
【００２７】
ワイヤレス通信システムは、ローカルインフラストラクチャ展開と、ローカルインフラストラクチャ（例えば、基地局）を通信するように結合する中央ネットワークとを介して、遠隔に配置されたワイヤレスノードの間で電子通信を実現する。一般に、ローカルインフラストラクチャは、様々な原理を利用して、これらのノードとワイヤレス情報を交換することができる。一部の事例において、インフラストラクチャは、ドナー基地局の制御下で遠隔ワイヤレスノードのセットを使用して、そのドナー基地局によるサービスを受ける特定の地理的区域（例えば、セル）におけるワイヤレスアクセスカバレッジを補足することが可能である。この構成は、複数の利点を提供することができる。例えば、遠隔ワイヤレスノードは、ドナー基地局からの劣悪なカバレッジを受信する地理的区域のいくつかの部分において費用対効果の大きい補足的な無線サービスを提供することができる。第２に、ワイヤレスノードのさらなるアンテナが、理論上、ＭＩＭＯアンテナ構成、または調整型マルチポイント（ＣｏＭＰ）構成と同様に、マルチアンテナ利得を実現するのに利用されることが可能である。しかし、そうすることは、ワイヤレスノードによって提供される様々なアクセスチャネルを識別し、管理する方法の発見に依存する。他の利点には、信号対雑音比（ＳＮＲ）の低減、セル境界における向上したパフォーマンス、より小さいセル間干渉またはセル内干渉などが含まれ得る。
【００２８】
トランスペアレントな中継器は、実施の際にいくつかの問題を生じる。例えば、全二重ワイヤレスノードは、費用対効果が小さい可能性があり、半二重ワイヤレスノードが代わりに使用されることが少なくともいくらか選好されることをもたらす。しかし、半二重ノードは、単一の帯域上で同時に信号を送受信することができない。したがって、単一搬送波の環境の場合、半二重ノードが有する、単一のサブフレーム、または他の伝送タイムスロット（ただし、例えば、伝送タイムスロットという用語は、ＯＦＤＭワイヤレスネットワークにおける直交周波数分割多重［ＯＦＤＭ］シンボル、または信号サブスロット、信号サブフレーム、インターレースなどのサブフレーム／サブスロットのグループ、ＯＦＤＭシンボルのグループ、あるいはワイヤレス信号の他の何らかの適切な時間ベースの分割、またはそのような分割の集合を指すことが可能である）の中で送信および受信に割り当てられるべきリソースは、より少ない。多くのワイヤレス環境（例えば、第３世代パートナーシッププロジェクトロングタームエボリューション［３ＧＰＰ  ＬＴＥ］、または単にＬＴＥ）の場合、中継ノードは、ドナー基地局（例えば、ドナーｅＮＢ）が、ドナー基地局の基準信号、パイロット信号、または獲得／同期信号などを送信するすべての伝送タイムスロットの中で、これらの信号を再送信すること、または再送することをしない。このことは、ＵＥのチャネル測定を相当に混乱させる。詳細には、タイムスロットの１つのサブセットがドナーｅＮＢの信号だけを有する一方で、タイムスロットの別のサブセットが、再送された信号とｅＮＢの信号の両方を有する場合、チャネル測定のために一般的に使用される時間平均が壊され得る。
【００２９】
以上に加えて、トランスペアレントな中継ノードは、ＵＥがドナーｅＮＢと区別することができる独立した伝送を有さない。その結果、測定レポートまたはチャネル品質指標（ＣＱＩ）レポートは、そのチャネルを供給する特定のワイヤレスノード、およびそのワイヤレスノードに関連する特定のチャネル条件を識別しない。したがって、ネットワークが、異なるＵＥに関して選好されるチャネルおよびワイヤレスノードを識別することが困難である。さらに、ワイヤレスノードがｅＮＢ伝送を支援する場合に、ネットワークが、正確なレート予測を実行することも困難である。後段でより詳細に説明されるとおり、本開示の様々な態様は、ワイヤレス通信におけるこれら、およびその他の問題に対処する。
【００３０】
図１は、本開示の態様による例示的なワイヤレス通信環境１００のブロック図を示す。ワイヤレス通信環境１００は、基地局１０２に関連付けられた地理的セル（すなわちセル）にサービスを提供する基地局１０２を備える。基地局１０２は、基地局１０２が結合されたネットワークのタイプに依存して、様々なタイプの無線アクセスネットワークインフラストラクチャであり得る。例えば、ユニバーサルモバイルテレコミュニケーションズシステム（ＵＭＴＳ）ネットワークにおいて、基地局１０２は、ＮｏｄｅＢを備えることが可能であるのに対して、グローバルシステムフォーモバイルコミュニケーション（ＧＭＳ）ネットワークにおいて、基地局１０２は、ベーストランシーバ基地局を備えることが可能である。しかし、基地局１０２は、以上の例に限定されず、むしろ、レガシーネットワーク（例えば、リリース９９）のレガシー基地局、およびより新しいネットワーク（例えば、ＬＴＥ）の高性能の基地局（例えば、拡張型ＮｏｄｅＢ、つまりｅＮＢ）が、本開示の範囲内に含まれることを認識されたい。
【００３１】
以上に加えて、基地局１０２は、ＵＥのセット、ＵＥ1１０４ＡからＵＥZ１０４Ｂにサービスを提供し、ただし、Ｚは、０より大きい整数であり（ひとまとめにしてＵＥ１０４Ａ〜１０４Ｂと呼ばれる）、さらに基地局１０２は、ノード1１０６Ａ、ノード2１０６ＢからノードN１０６Ｃを含むワイヤレスノードのセットを制御し、ただし、Ｎは、０より大きい整数である（ひとまとめにしてワイヤレスノード１０６Ａ〜１０６Ｃと呼ばれる）。ワイヤレスノード１０６Ａ〜１０６Ｃは、本開示の少なくとも一態様において、トランスペアレントな中継ノードを含み得る。しかし、本開示は、そのように限定されず、ワイヤレスノード１０６Ａ〜１０６Ｃの１つまたは複数は、トランスペアレントなリピータ、トランスペアレントなワイヤレス中継器、トランスペアレントなピコセル、遠隔無線ヘッド、スマートリピータ、増分冗長中継器など、または以上の適切な組合せであることが可能である。
【００３２】
動作の際、基地局１０２は、ＵＥ１０４Ａ〜１０４Ｂのデータ伝送が、ワイヤレスノード１０６Ａ〜１０６Ｃの１つまたは複数を介してルーティングされるようにスケジュールすることができる。そのようなスケジュールは、ＵＥ１０４Ａ〜１０４Ｂの１つまたは複数が、ワイヤレスノード１０６Ａ〜１０６Ｃにハンドオーバした場合、またはワイヤレスノード１０６Ａ〜１０６Ｃの１つまたは複数のノード上で好ましいＳＮＲを報告した場合（例えば、ノードが、トランスペアレントなノードではない場合）などに、基地局１０２によって選択されることが可能である。基地局１０２からのダウンリンク（ＤＬ）制御シグナリングは、無線で（ＯＴＡ）ＵＥ１０４Ａ〜１０４Ｂに直接に送られることが可能であり、あるいはワイヤレスノード１０６Ａ〜１０６Ｃの１つまたは複数を介してＤＬ伝送上でルーティングされることが可能である。本開示の少なくとも１つの態様において、基地局１０２は、リソース割当て１０８をＵＥ1１０４ＡおよびＵＥZ１０４Ｂに送信する。リソース割当て１０８は、それぞれのデータ伝送の各データ伝送に関して、ワイヤレスノード１０６Ａ〜１０６Ｃによって提供される１つまたは複数のアクセスチャネル、データチャネルなどの上でワイヤレスリソースの異なるセットを指定する。さらに、基地局１０２は、リソース割当て１０８をワイヤレスノード１０６Ａ〜１０６Ｃに送信して、これらのノードが、ＵＥ１０４Ａ〜１０４Ｂのそれぞれの伝送を識別するためにワイヤレスリソースの異なるセットを利用することを可能にする。
【００３３】
初期のＤＬデータ伝送およびアップリンク（ＵＬ）データ伝送は、ワイヤレスノードの１つのデフォルトノード経由で、またはワイヤレスノードの各ノード経由で、ＵＥ１０４Ａ〜１０４Ｂにルーティングされるとともに、ＵＥ１０４Ａ〜１０４Ｂからルーティングされることが可能である。さらに、それぞれのワイヤレスノード１０６Ａ〜１０６ＣとそれぞれのＵＥ１０４Ａ〜１０４Ｂの間のそれぞれのアクセスチャネルに関してチャネル測定１１０を獲得するために、それぞれのデータ伝送に関して個々のチャネル測定が実行される（例えば、後出の図２を参照）。本開示の一態様において、ワイヤレスノード１０６Ａ〜１０６Ｃが、それぞれのデータ伝送のＵＬ伝送を分析して、チャネル測定１１０を獲得する。別の態様において、ＵＥ１０４Ａ〜１０４Ｂが、それぞれのデータ伝送（ワイヤレスノード１０６Ａ〜１０６Ｃの１つまたは複数によって送られた）のＤＬ伝送を分析して、チャネル測定１１０を獲得する。さらに別の態様において、ＵＬ伝送とＤＬ伝送の組合せが、チャネル測定１１０に含められることが可能である。
【００３４】
チャネル測定１１０を受信すると、基地局１０２は、ＵＥ１０４Ａ〜１０４Ｂとワイヤレスノード１０６Ａ〜１０６Ｃを通信するように結合する個々のアクセスチャネルに関係のあるデータを抽出する。その結果、基地局１０２は、それらのアクセスチャネルの１つまたは複数のチャネルの好ましい特性を識別することができる。例えば、ノード2１０６ＢをＵＥ1１０４Ａに結合するワイヤレスチャネルが、ノードN１０６ＣをＵＥ1１０４Ａに結合するワイヤレスチャネル、またはノード1１０６ＡをＵＥ1１０４Ａに結合するワイヤレスチャネルなどと比べて、より良好な信号特性に関連することが可能である。この情報に基づいて、基地局１０２は、例えば、ＵＥ1１０４Ａにサービスを提供するためにノード2１０６Ｂを割り当てることもできる。チャネル測定１１０からのワイヤレスチャネルの、この分析は、ワイヤレスノード１０６Ａ〜１０６ＣとＵＥ１０４Ａ〜１０６Ｂの間のデータ伝送にかかわる各ワイヤレスチャネルに関して行われ得る。したがって、この分析に基づいて、基地局１０２は、ワイヤレスノード１０６Ａ〜１０６ＣのサブセットをＵＥ１０４Ａ〜１０４Ｂの１つまたは複数に割り当てることができる（または基地局１０２は、直接にＵＥを相手に制御トラヒックおよびデータトラヒックを交換することを、基地局１０２をそのようなＵＥに結合するチャネルに優るワイヤレスチャネルが存在しない場合、選択することができる）。
【００３５】
基地局１０２は、単一の特性または信号メトリックを介してそれぞれのワイヤレスチャネルを分析することに限定されないことを認識されたい。むしろ、特性は、１つまたは複数の信号メトリックを備えることが可能であり、さらに複数の信号メトリックが利用される場合、各メトリックには、重み付けの式、または信号特性を算出する際に異なるメトリックに相対重要度を割り当てる他の適切な関数を使用して他のメトリックとの関係で重みが付けられることが可能である。一部の態様において、基地局１０２は、ＵＥ１０４Ａ〜１０４Ｂの１つまたは複数にサービスを提供すべき好ましいワイヤレスチャネルを選択するために複数の信号特性を使用することができる。特定の例として、特性は、信号強度、ＳＮＲ、ライズオーバサーマル、パスロス、相対信号干渉、実現可能な帯域幅、または実現可能なデータレート、または信号強度もしくは信号品質の別の適切なメトリック、あるいは以上の適切な組合せを適切な相対的重み付けで備えることが可能である。
【００３６】
図２は、改良されたワイヤレス通信を提供するための例示的なワイヤレスシステム２００のブロック図を示す。例として、ワイヤレスシステム２００は、ワイヤレスノードのセットにかかわるアクセスチャネルに関する優先的なチャネル選択を提供することができる。少なくとも１つの態様において、ワイヤレスノードの１つまたは複数は、トランスペアレントなノードを備えることが可能であり、ただし、本開示は、この態様に限定されない。
【００３７】
ワイヤレスシステム２００は、ノード割当て装置２０４に結合された基地局２０２を備えることが可能である。さらに、基地局２０２は、基地局２０２によるサービスを受ける地理的区域内で補足的なワイヤレスカバレッジを提供するワイヤレスノードアクセスポイント２１４のセットに通信するように結合される。一態様において、基地局２０２は、有線バックホールによってワイヤレスノードアクセスポイント２１４の１つまたは複数に結合されることも可能であるが、より一般的には、基地局２０２は、ワイヤレスバックホールによってワイヤレスノードアクセスポイント２１４に結合される。ワイヤレスバックホールは、基地局２０２によって使用される単一の搬送波の伝送タイムスロットのサブセットを備えることが可能であり（例えば、ワイヤレスノードアクセスポイント２１４が半二重通信を使用する場合）、あるいは基地局２０２とワイヤレスノードアクセスポイント２１４の間のバックホール通信に専用である基地局２０２によって使用される第２の搬送波の伝送タイムスロットのすべて（または他の何らかのサブセット）を備えることが可能である。
【００３８】
前出の図１のワイヤレスノード１０６Ａ〜１０６Ｃと同様に、ワイヤレスノードアクセスポイント２１４は、ワイヤレス中継器と、トランスペアレントな中継器と、ワイヤレスリピータと、スマートリピータと、その他などとを備えることが可能である。一般に、ワイヤレスノードアクセスポイント２１４は、基地局２０２によるサービスを受ける１つまたは複数のＵＥ（図示せず）に関する少なくともデータトラヒック通信のためにアクセスチャネルのセットを提供するように構成される。一態様において、これらのアクセスチャネルは、ＤＬデータトラヒックおよびＵＬデータトラヒックに限定される。しかし、他の態様において、アクセスチャネルは、ＵＬで、またはＤＬで、あるいはＵＬとＤＬの組合せで、データトラヒックと制御トラヒックの両方を伝送することができる。
【００３９】
ノード割当て装置２０４は、ＵＥを相手に、さらに基地局２０２に関連付けられ、基地局２０２から遠隔に配置されたアクセスポイントのセット（例えば、ワイヤレスノードアクセスポイント２１４）を相手にワイヤレス信号を交換するために構成されたワイヤレス通信インターフェース２０６を備えることが可能である。一態様において、ワイヤレス通信インターフェース２０６は、基地局２０２の送信−受信チェーン（図示されないが、一例として、後出の図１２を参照）を備える。しかし、他の態様において、ワイヤレス通信インターフェース２０６は、ＵＥを相手に、さらにアクセスポイントのセットを相手にワイヤレス信号を交換することを実行するように基地局２０２と（または基地局の送信−受信チェーン）電子通信するハードウェアモジュールまたはソフトウェアモジュールであることが可能である。
【００４０】
以上に加えて、ノード割当て装置２０４は、相対アクセスチャネル測定に基づいて、ＵＥに選択的アクセスポイントサービスを提供するように構成された命令を格納するためのメモリ２０８を備えることが可能である。さらに、ノード割当て装置２０４は、それらの命令を実施するようにモジュールを実行するためのデータプロセッサを備えることが可能である。特に、モジュールは、ＵＥに関する識別子（ＩＤ）および伝送スケジュールをワイヤレスノードアクセスポイント２１４のセットと共有する（例えば、ワイヤレス通信インターフェース２０６および基地局２０２を使用して、ワイヤレスノードアクセスポイント２１４のセットにＩＥおよび伝送スケジュールを送信することによって）配信モジュール２１２を備えることが可能である。ＵＥ  ＩＤおよび伝送スケジュールは、ＵＥによって送信された信号、およびそれらの信号を予期すべきアクセスチャネルリソースをそれぞれ識別する際にワイヤレスノードアクセスポイント２１４を支援することができる。さらに、ノード割当て装置２０４は、ワイヤレスノードアクセスポイント２１４のサブセットによって供給されたそれぞれのＵＥ信号測定に基づいて、ＵＥにサービスを提供すべきワイヤレスノードアクセスポイント２１４のセットの少なくとも１つのアクセスポイント２１４を選択する仲介モジュール２１６を備えることが可能である。
【００４１】
開示される少なくとも一部の態様において、ノード割当て装置２０４は、トランスペアレントな中継器によって提供されるアクセスチャネルを区別する問題を軽減するように構成され得ることを認識されたい。通常、ＵＥは、ＵＥによって観測されたチャネル強度、品質などの通知を基地局に与えるために、基地局にＤＬチャネル測定を報告する。しかし、ＵＥは、トランスペアレントな中継器を基地局と区別する、または互いに区別することができないため、ＵＥは、異なる中継器アクセスチャネルに関して異なるチャネル測定を提供することができない。しかし、ワイヤレスノードアクセスポイント２１４の間でＵＥ
ＩＤおよび伝送スケジュールを共有することによって、それぞれのアクセスポイントは、最低限、ＵＥによって送信されたＵＬ伝送の測定をそれぞれ行うことができる。これらのＵＥ信号測定が、それぞれのアクセスチャネルを区別するように基地局２０２に転送されることが可能であり、基地局２０２が、サービス２１４を提供すべきワイヤレスノードアクセスポイント２１４の好ましい１つを選択することを可能にする。
【００４２】
少なくとも部分的に以上に基づいて、本開示の１つまたは複数の態様において、ノード割当て装置２０４は、ワイヤレスノードアクセスポイント２１４のそれぞれのアクセスポイント２１４によって送信されたそれぞれのＵＥ信号測定の間でＵＥ信号測定の特性が異なるかどうかを識別する分析モジュール２１８をさらに備えることが可能である。１つの特定の例において、特性は、ＵＥ信号測定の信号強度特性、信号品質特性、または信号雑音特性を備える。より詳細な例として、特性は、信号強度、信号対雑音比、ライズオーバサーマル、パスロス、相対信号干渉、実現可能な帯域幅、または実現可能なデータレート、あるいは以上の組合せを備える。以上の特性の適切な重みが使用され得、その場合、特性は、以上のまたは類似する例の複数の重みを備えることを認識されたい。
【００４３】
１つの例示的な実施形態において、仲介モジュール２１６が、ＵＥにサービスを提供すべきワイヤレスノードアクセスポイント２１４のセットの１つのアクセスポイントを、その１つのアクセスポイントによって供給されるＵＥ信号測定に関する特性の値に基づいて、選択する。この場合、仲介モジュール２１６は、アクセスポイントのセットのサブセットの他のアクセスポイントによって供給されるそれぞれのＵＥ信号測定に関係のある特性のそれぞれの値と比べて、その特性の値を分析するための、メモリ２０８の中に格納された選択ポリシーを使用するモジュールとして構成されることも可能である。詳細には、選択ポリシーは、特性の値の好ましい格付け、または特性の目標値を定義するポリシーであり得る。この場合、仲介モジュール２１６は、特性の値が目標値に最も近いため（ワイヤレスノードアクセスポイント２１４のうちの他のアクセスポイント２１４に関連するＵＥ信号測定に関する特性の値と比べて）、または特性の値が、好ましい格付けに基づく特性のそれぞれの値を超えるため、その１つのアクセスポイントを選択する。本開示の少なくとも１つの態様において、仲介モジュール２１６は、ＵＥにサービスを提供すべきワイヤレスノードアクセスポイント２１４のセットの複数のアクセスポイント２１４を、アクセスポイントのセットのその複数のアクセスポイントのそれぞれのＵＥ信号測定に関連する特性のそれぞれの値に基づいて、選択する。このことは、例えば、選択ポリシーが、特性のそれぞれの値が、マルチノードサービスに関するしきい値特性などを超えている限り、ＵＥにサービスを提供すべきワイヤレスノードアクセスポイント２１４の複数のアクセスポイント２１４を許す場合に、行われ得る。
【００４４】
本開示のさらに他の態様によれば、ノード割当て装置２０４は、統合モジュール２２０を備えることが可能である。統合モジュール２２０は、ＵＥに関連するそれぞれのトラヒック、チャネル、またはデータストリームを、複数のワイヤレスノードアクセスポイント２１４のそれぞれのアクセスポイントに割り当てる冗長性ポリシーを生成するモジュールとして構成され得る。詳細には、統合モジュール２２０は、仲介モジュール２１６が、ＵＥにサービスを提供すべき複数のアクセスポイントを選択する際に、冗長性ポリシーを生成するように活性化されることが可能である。この冗長性ポリシーは、異なるタイプのトラヒック（例えば、音声トラヒック、データトラヒック）が異なるアクセスポイントによって扱われる場合、異なるチャネル（例えば、制御チャネル、データチャネル）が異なるアクセスポイントによって扱われる場合、異なるデータストリーム（例えば、アプリケーションデータストリーム、ボイスオーバインターネットプロトコル［ＶｏＩＰ］データストリームなど）が異なるアクセスポイントによって扱われる場合、あるいはそれぞれのトラヒック、チャネル、またはデータストリーム、および複数のアクセスポイントの他の何らかの適切な分割が提供される場合に、ＵＥに関する増分冗長サービスを円滑にするのに使用され得る。或る特定の態様において、冗長性ポリシーは、それぞれのトラヒック、チャネル、またはデータストリームに関係があるアクセスポイントのセットの複数のアクセスポイントによって提供されるそれぞれのＵＥ信号測定の１つまたは複数の特性に基づいて、アクセスポイントのセットの複数のアクセスポイントのそれぞれに、それぞれのトラヒック、チャネル、またはデータストリームを割り当てることを含む。この場合、仲介モジュール２１６によって使用される選択ポリシーは、異なるチャネルタイプ、トラヒックタイプ、またはデータストリームタイプに適した異なる特性（または特性の組合せ）をさらに指定することができ、さらにそれぞれのトラヒック、チャネル、またはデータストリームに関するそれぞれのアクセスポイントの選択は、仲介モジュール２１６によって実施されることが可能であるとともに、冗長性ポリシーの中に含められることが可能である。このため、音声トラヒックに関して或るアクセスチャネルが選好される場合、そのアクセスチャネルを提供するアクセスポイントが、音声トラヒックに関与するＵＥに割り当てられるといったことが可能である。
【００４５】
図３は、本開示の他の１つまたは複数の態様によるサンプルのワイヤレスアクセスシステム３００のブロック図を示す。特に、ワイヤレスアクセスシステム３００は、マルチノード管理装置３０４に通信するように結合された基地局３０２を備える。マルチノード管理装置３０４は、後段でより詳細に説明されるとおり、基地局３０２に関連付けられたワイヤレスノード（図示されないが、後出の図４を参照）によるサービスを受けるＵＥのセット（図示せず）に関するセル分割利得をもたらすように構成されることが可能である。本明細書で説明される他のワイヤレスノードと同様に、基地局３２０に関連付けられたワイヤレスノードの１つまたは複数は、トランスペアレントなリピータ、トランスペアレントなワイヤレス中継器、トランスペアレントなピコセル、遠隔無線ヘッド、スマートリピータ、増分冗長中継器、または別の適切なワイヤレスノード、あるいは以上の適切な組合せを備えることが可能である。
【００４６】
マルチノード管理装置３０４は、基地局３０２を相手に、さらにＵＥのセットを相手に（例えば、基地局３０２のワイヤレス送信−受信チェーンを使用することによって）ワイヤレス信号を交換するために構成された通信インターフェース３０６を備えることが可能である。さらに、マルチノード管理装置３０４は、ＵＥのセットの１つまたは複数に遠隔ノードによって支援されたワイヤレスサービスを提供するように構成された命令を格納するためのメモリ３０８と、それらの命令を実施するモジュールを実行するためのデータプロセッサ３１０とを備えることが可能である。詳細には、それらのモジュールは、ＵＥのセットに関するリソーススケジュールを生成するスケジューリングモジュール３１２を備えることが可能である。リソーススケジュールは、基地局３０２に関連付けられた複数のワイヤレスノードによって提供されるワイヤレスリソースの単一のセット（例えば、単一の伝送タイムスロット中の、または伝送タイムスロットのセットの間の共通の周波数帯域）を、ＵＥのセットにかかわる複数のデータストリームに割り当てる割当てを含む。さらに、マルチノード管理装置３０４は、通信インターフェース３０６を使用して、複数のデータストリームに参加する複数のワイヤレスノードのそれぞれのノードにリソーススケジュールを送る配信モジュール３１４を備えることが可能である。したがって、それぞれのワイヤレスノードは、リソーススケジュールによって指定されるとおり、ワイヤレスサービスに関するＵＥまたは特定のデータストリームを識別することができる。複数のワイヤレスノードをこれらのデータストリームに割り当てることによって、セル分割の利点、および関連するワイヤレスの利点が、例えば、それぞれのワイヤレスノードとそれぞれのＵＥの間の向上したＳＮＲを介して、実現されることが可能であり、さらに、一部の事例において、マルチアンテナ構成を使用して（例えば、ＵＥの少なくとも１つに複数のワイヤレスノードのサブセットがサービスを提供する場合）、向上したスループットまたはデータレートが実現されることが可能である。
【００４７】
本開示の一部の態様において、スケジューリングモジュール３１２が、複数のデータストリームのそれぞれのデータストリームを複数のワイヤレスノードのそれぞれのノードに割り当てる。このことは、例えば、データストリームに関するＳＮＲを最大化する仕方で行われ得る。他の態様において、スケジューリングモジュール３１２は、複数のデータストリームのそれぞれのデータストリームを、複数のワイヤレスノードの１つまたは複数をそれぞれが備える複数のワイヤレスノードのそれぞれのサブセットに割り当てる。これらの後者の態様において、マルチノード管理装置３０４は、複数の複数のワイヤレスノードを備える複数のワイヤレスノードのサブセットの１つに関する増分冗長性ポリシーを確立する統合モジュールを使用することが可能である。さらに、この増分冗長性ポリシーは、複数のワイヤレスノードのサブセットの１つのサブセットのそれぞれのワイヤレスノードにデータストリームのいくつかの部分を割り当てることを含むポリシーであることが可能である。このポリシーは、一実例において、データストリームのそれぞれの部分に最も適したチャネル特性を有するそれぞれのワイヤレスノードを割り当てることが可能であり、あるいはそれらの部分の１つまたは複数に複数のワイヤレスノードを割り当てて、少なくともそれらの部分に関するマルチアンテナ利得を実現することも可能である。
【００４８】
本開示のさらに他の態様によれば、マルチノード管理装置３０４は、複数のワイヤレスノードとＵＥのセットの間の複数の伝送を区別するように複数のデータストリームの１つまたは複数に関する直交符号を円滑にする符号化モジュール３１６を備えることが可能である。データストリームは、単一の伝送タイムスロット内で、または伝送タイムスロットのセットの中で伝送されるため、直交符号は、それらの伝送を受信することを助けるようにワイヤレスノードとＵＥの間のＤＬ伝送またはＵＬ伝送に組み込まれることが可能である。さらに、符号化モジュール３１６は、異なるＵＥ、異なる中継器、またはＵＥの異なるグループ（例えば、ＣｏＭＰ  ＵＬ伝送を行っている）に関して異なる符号を生成することができる。これらの符号は、パイロット伝送上、データ伝送上、またはパイロット伝送とデータ伝送の組合せの上でスクランブルを行うために利用され得る。一態様において、これらの直交符号は、符号化モジュール３１６によって生成されて、物理層シグナリングまたは層２シグナリングを介してそれぞれのワイヤレスノードまたはＵＥに明示的に送られる。別の態様において、符号化シードが代わりに、符号化モジュール３１６によって送り出されることが可能であり、これらのシードが、それぞれの直交符号を生成するようにそれぞれのワイヤレスノード、またはそれぞれのＵＥに使用されることが可能である。代替の態様において、直交符号は代わりに、層３シグナリングによって送られることが可能である。
【００４９】
さらなる態様によれば、マルチノード割当て装置３０４は、データストリームに割り当てられたワイヤレスリソースの単一のセットと同時である基地局３０２（および基地局３０２を介するマルチノード割当て装置３０４）の伝送の電力を低減する減衰モジュール３２０を備えることが可能である。このことは、ワイヤレスリソースの単一のセット（例えば、或る特定の周波数帯域）の上のワイヤレスノードに関する干渉を低減し、そのことが、次に、それぞれのワイヤレスノードの範囲を増大させることも可能である。この増加した範囲、つまり、範囲増大は、基地局３０２が劣悪なサービスを提供する、基地局３０２によるサービスを受けるセル境界または地理的境界の縁端部で特に有用であり得る。しかし、範囲増大は、基地局３０２が、それぞれのワイヤレス中継器をＵＥによりアクセスしやすくして、ワイヤレスノード、および全体的な基地局３０２のロード容量を増加させることによって、強力な信号を供給する場合にも、特に有用であり得る。基地局３０２に関する電力低減を実施するのに、スケジューリングモジュール３１２が、ワイヤレスリソースの単一のセットと同時である基地局３０２の伝送を再スケジュールするモジュールとして構成され得る。この場合、減衰モジュール３２０は、基地局３０２の送信電力を、ワイヤレスリソースの単一のセットの上のデータストリームの伝送と同時である伝送タイムスロット（またはタイムスロットのセット）中、０（または実質的に０）にまで低減する。
【００５０】
範囲増大を使用する場合、基地局３０２は、データストリームのために利用される伝送タイムスロット（複数の伝送タイムスロット）内で送信していないので、またはより低い電力で送信しているので、ＣＱＩ情報を獲得することは、中断される可能性がある。この問題を軽減するのに、マルチノード管理装置３０４は、複数のワイヤレスノードとＵＥのセットの間で確立されたワイヤレスチャネルにおけるパスロスを推定するのに時分割複信（ＴＤＤ）チャネル相互関係を使用する推定モジュール３２２を利用することができる。このため、パスロスは、ＣＱＩ情報から推測されるのではなく、直接に推定されることが可能である。
【００５１】
代替の態様において、マルチノード管理装置３０４は代わりに、ＣＱＩ専用の基準信号（ＣＱＩ−ＲＳ）を、例えば、ＣＱＩ−ＲＳを送信するコマンドを認識するように構成された１つまたは複数のＵＥに関して使用して、そのような伝送を実行することもできる。この場合、スケジューリングモジュール３１２は、リソーススケジュール内に、ＵＥのセットの１つ（または複数）のＵＥが低再使用ノード専用のチャネル品質指標基準信号（低再使用ノード専用のＣＱＩ−ＲＳ）を送信するようにするコマンドを含める。通信インターフェース３０６が、ＵＥのセットの１つのＵＥからアップリンクチャネル上で低再使用ノード専用のＣＱＩ−ＲＳを受信する。次に、測定モジュール３２４が、低再使用ノード専用のＣＱＩ−ＲＳを分析して、ＵＥのセットの１つのＵＥによって利用されるワイヤレスチャネルに関するパスロスを推定するマルチノード管理装置３０４によって使用されることが可能である。
【００５２】
図４は、本開示のさらなる態様による例示的なワイヤレスアクセスチャネル環境４００の図を示す。ワイヤレスアクセスチャネル環境４００は、ノード1４０４Ａ、ノード2４０４ＢからノードN４０４Ｃ（ひとまとめにして、ワイヤレスノード４０４Ａ〜４０４Ｃと呼ばれる）を含むワイヤレスノードのセットを備える。ワイヤレスノード４０４Ａ〜４０４Ｃのそれぞれは、ＵＥ1４０２ＡからＵＥZ４０２Ｂ（ひとまとめにしてＵＥ４０２Ａ〜４０４Ｂと呼ばれる）を含むＵＥのセットの少なくとも１つのＵＥに通信するように結合される。ワイヤレスノード４０４Ａ〜４０４ＣとＵＥ４０２Ａ〜４０４Ｂの間で交換されるデータ情報（パケットデータトラヒックおよび回線交換トラヒックを含む）または制御情報は、各ワイヤレスノード４０４Ａ〜４０４Ｃと各ＵＥ４０２Ａ〜４０２Ｂの間の別々のアクセスチャネルを備えるアクセスインターフェースを介して送信される。図示されるとおり、異なる３つのアクセスチャネル、ＵＥ1４０２Ａをワイヤレスノード1４０４Ａに通信するように結合するアクセスチャネル1４０６Ａ、ＵＥ1４０２Ａをワイヤレスノード2４０４Ｂに通信するように結合するアクセスチャネル2４０６Ｂ、およびＵＥZ４０２ＢをワイヤレスノードN４０４Ｃに通信するように結合するアクセスチャネル3４０６Ｃ（ひとまとめにして制御チャネル４０６Ａ〜４０６Ｃと呼ばれる）が存在する。
【００５３】
一態様において、制御トラヒックが、ワイヤレスノード４０４Ａ〜４０４Ｃに関連付けられた基地局からＵＥ４０２Ａ〜４０２Ｂにそれぞれの制御チャネル４０８を介して直接に送信されることが可能である。代替の態様において、制御トラヒックの一部分またはすべては代わりに、ワイヤレスノード４０４Ａ〜４０４Ｃおよびアクセスチャネル４０６Ａ〜４０６Ｃを介して送信されることが可能である。ワイヤレスノード４０４Ａ〜４０４Ｃと基地局の間で交換される情報は、ワイヤレスノード４０４Ａ〜４０４Ｃを基地局に通信するように結合するバックホールインターフェースを介して送信される。一態様において、バックホールインターフェースは、有線インターフェースを備えることが可能であり、別の態様において、バックホールインターフェースは、ワイヤレスインターフェースを備えることが可能である。さらに別の態様によれば、バックホールインターフェースは、有線インターフェースとワイヤレスインターフェースの組合せを備えることが可能である（例えば、基地局が、有線インターフェースを介してワイヤレスノード４０４Ａ〜４０４Ｃの１つと直接に情報を交換し、さらにその１つのワイヤレスノード４０４Ａ〜４０４Ｃが、残りのワイヤレスノード４０４Ａ〜４０４Ｃにワイヤレスでその情報を転送する場合）。
【００５４】
本明細書で説明されるとおり、それぞれのワイヤレスノード４０４Ａ〜４０４Ｃが、それぞれのＵＥ４０２Ａ〜４０２ＢのＵＬ伝送を測定して、それぞれのアクセスチャネル４０６Ａ〜４０６Ｃの品質推定または信号強度推定を獲得することが可能である。これらの推定は、本明細書で説明されるとおり、それぞれのＵＥ４０２Ａ〜４０２Ｂに関して、あるいはＵＥ４０２Ａ〜４０２Ｂによって使用されるそれぞれのタイプのトラヒック、チャネル、またはデータストリームに関して、好ましいアクセスチャネル４０６Ａ〜４０６Ｃを識別するように基地局に転送され得る。同様に、ＵＥ４０２Ａ〜４０２Ｂが、それぞれのワイヤレスノード４０４Ａ〜４０４ＣのＤＬ伝送を測定して、それぞれのワイヤレスチャネル４０６Ａ〜４０６Ｃの品質推定または信号強度推定を獲得することができる（例えば、ワイヤレスノード４０４Ａ〜４０４Ｃの１つまたは複数がトランスペアレントなノードでない場合）。これらの推定は、制御チャネル４０８を介して、またはアクセスチャネル４０６Ａ〜４０６Ｃを介して、ＵＥ４０２Ａ〜４０２Ｂによって基地局に転送されて、好ましいアクセスチャネル４０６Ａ〜４０６Ｃを識別するのに利用されることも可能である。
【００５５】
少なくとも１つの態様において、マルチアンテナおよびＣｏＭＰのワイヤレス通信が、ワイヤレスアクセスチャネル環境４００のために実施されることが可能である。このため、例えば、ノード1４０４Ａおよびノード2４０４Ｂが、ＵＥ1４０２Ａに関するマルチアンテナＤＬ伝送を提供して、そのようなマルチアンテナワイヤレス通信を介して利用可能な向上したスループットまたはデータレートを実現することが可能である。代替として、またはさらに、ＵＥ４０２Ａ〜４０２Ｂの１つまたは複数が、それぞれのＵＥ４０２Ａ〜４０２Ｂに関連付けられた複数のアンテナを介して、または複数のＵＥ４０２Ａ〜４０２Ｂの間のピアツーピア通信を介して、マルチアンテナＵＬ伝送を行って、ＵＬ伝送に関するＵＥ  ＣｏＭＰを実現することが可能である。以上のマルチアンテナ事例のいずれにおいても、基地局は、本明細書で説明されるマルチノード管理を使用して、ワイヤレスチャネル４０６Ａ〜４０６Ｃ上で向上したＳＮＲ、向上したセル分割、または増加したスループットもしくはデータレートを実現することができる。
【００５６】
図５は、本開示のさらなる態様による例示的なワイヤレス通信構成５００のブロック図を示す。ワイヤレス通信構成５００は、ワイヤレスリンク５０６を介して基地局５０４に通信するように結合された中継ノード５０２を備える。基地局５０４は、中継ノード５０２に関連する好ましいアクセスチャネル（図示されないが、前出の図４を参照）を識別するように構成され得るノード割当て装置５０８を備えることが可能である。この識別を達するのに、ノード割当て装置５０８は、ＵＥ  ＩＤのセット、およびＵＬまたはＤＬのスケジューリング情報５０８Ａを中継ノード５０２に送信することができる。中継ノード５０２は、ＵＥ  ＩＤ、およびＵＬまたはＤＬのスケジューリング情報を使用して、中継ノード５０２上に滞在する１つまたは複数のＵＥとデータを交換することができ、さらにチャネル測定装置５１０を使用して、そのデータ交換に関係のあるチャネル測定を実行することができる。ＵＥチャネル測定のレポート５０８Ｂが、チャネル測定装置５１０によって基地局５０４に送信され、ノード割当て装置５０８において受信される。ＵＥチャネル測定の、このレポート５０８Ｂに基づいて、ノード割当て装置５０８は、１つまたは複数のＵＥのそれぞれに関する好ましいチャネルを識別することができ、さらに本明細書で説明されるとおり、中継ノード５０２によってサービスを受けるべき特定のＵＥ、あるいは中継ノード５０２によってサービスを受けるべき特定の制御トラヒックもしくはデータトラヒック、特定のデータストリーム、またはトラヒックの特定のタイプを示す割当て５０８Ｃを中継ノード５０２に送ることができる。
【００５７】
さらなる態様によれば、基地局５０４は、１つまたは複数のＵＥに関する中継ノード５０２、およびさらなる１つまたは複数の中継器（図示せず）によるワイヤレスサービスを調整するように構成されたマルチノード管理装置５１２を備えることが可能である。調整されたワイヤレスサービスを実現するのに、マルチノード管理装置５１２は、リソース−ＵＥ割当てスケジュール５１２Ａを中継ノード５０２に送ることができる。リソース−ＵＥ割当てスケジュール５１２Ａは、中継ノード５０２、およびさらなる１つまたは複数の中継器によって提供されるアクセスチャネル上で１つまたは複数のＵＥによって行われるデータトラヒックのためのワイヤレスリソースの共通のセットを指定する。少なくとも１つの態様において、マルチノード管理装置５１２は、調整された様式で中継ノード５０２、およびさらなる１つまたは複数の中継器によって扱われるべきそれぞれのチャネル、トラヒック、またはデータストリームを指定するＵＥ／データストリーム割当て５１２Ｂをさらに提供することができる。この調整された様式は、本明細書で説明されるとおり、セル分割割当て、マルチアンテナ割当てなどを備えることが可能である。詳細には、中継ノード５０２、およびさらなる１つまたは複数の中継器の調整は、ノード割当て装置５０８によって特定されるそれぞれの中継器とそれぞれＵＥの間のチャネル条件に基づく向上したＳＮＲ、マルチアンテナ割当てによって実現される向上したスループット利得またはデータレート利得などを含む、ワイヤレスリソースの共通のセットの上の向上したパフォーマンスをもたらすように実施されることが可能であることを認識されたい。
【００５８】
前述したシステムまたは装置は、いくつかの構成要素、モジュール、および／または通信インターフェースの間の対話に関連して説明されてきた。そのようなシステムおよび構成要素／モジュール／インターフェースは、そのようなシステム内で規定される構成要素／モジュールまたはサブモジュール、規定される構成要素／モジュールまたはサブモジュールのいくつか、および／またはさらなるモジュールを含むことが可能であることを認識されたい。例えば、ワイヤレス通信システムは、ノード割当て装置２０４およびマルチノード管理装置３０４に結合された基地局１０２、およびＵＥ４０２Ａ〜４０２Ｂに通信するように結合されたワイヤレスノード４０４Ａ〜４０４Ｃ、あるいはこれら、またはその他のエンティティの異なる組合せを含むことが可能である。また、サブモジュールは、親モジュール内に含められるのではなく、他のモジュールに通信するように結合されたモジュールとして実施されることも可能である。さらに、１つまたは複数のモジュールが組み合わされて、総合機能を提供する単一のモジュールにされることも可能であることに留意されたい。例えば、仲介モジュール２１６が、配信モジュール２１２を含んで、または配信モジュール２１２が、仲介モジュール２１６を含んで、単一の構成要素として、特定のＵＥにサービスを提供すべき複数のワイヤレスノードの１つを選択することを円滑にするとともに、その選択を複数のワイヤレスノードに配信することが可能である。また、これらの構成要素は、本明細書に明記されないが、当業者には知られている他の１つまたは複数の構成要素と対話することも可能である。
【００５９】
さらに、認識されるとおり、前述した開示されるシステム、および後述する方法の様々な部分は、人工知能ベースの、または知識ベースの、または規則ベースの構成要素、部分構成要素、プロセス、手段、方法、または機構（例えば、サポートベクタマシン、ニューラルネットワーク、エキスパートシステム、ベイジアン信念ネットワーク、ファジーロジック、データ融合エンジン、クラシファイア．．．）を含む、あるいはそのような構成要素、部分構成要素、プロセス、手段、方法、または機構から成ることが可能である。そのような構成要素は、とりわけ、本明細書で既に説明したものに加えて、そのような構成要素によって実行されるいくつかの機構またはプロセスを自動化して、システムおよび方法のいくつかの部分を、より適応的にするとともに、効率的でインテリジェントにすることができる。
【００６０】
前述した例示的なシステムに鑑みて、開示される主題に従って実施されることが可能な方法は、図６〜図９の流れ図を参照して、よりよく認識されよう。説明を簡単にするため、これらの方法は、一連のブロックとして示され、説明されるが、主張される主題は、いくつかのブロックが、本明細書で図示され、説明されるのとは異なる順序で、さらに／または他のブロックと同時に行われることが可能であるので、それらのブロックの順序によって限定されないことを理解および認識されたい。さらに、例示されるすべてのブロックが、以降、説明される方法を実施するのに要求されるわけではない可能性がある。さらに、以降に、さらに本明細書の全体にわたって開示される方法は、そのような方法をコンピュータに移送および転送することを円滑にする製造品上に格納されることが可能であることをさらに認識されたい。使用される製造品という用語は、任意のコンピュータ可読デバイス、担体と併せたデバイス、または記憶媒体においてアクセス可能なコンピュータプログラムを包含することを意図している。
【００６１】
図６は、本開示の特定の態様による例示的な方法６００の流れ図を示す。６０２で、方法６００は、通信インターフェースを使用して、基地局によるサービスを受けるＵＥのセットに関するＵＥ  ＩＤのセットを獲得することを備えることが可能である。ＵＥ  ＩＤのセットを獲得することは、例えば、ＵＥのセットのそれぞれのＵＥから、アクセス要求送信、パイロット信号送信などを受信すること、およびそれぞれの送信からそれぞれのＵＥ  ＩＤを抽出することを含むことが可能である。代替として、別の態様によれば、ＵＥ
ＩＤのセットを獲得することは、基地局から、ＵＥのセットのそれぞれのＵＥに関する媒体アクセス制御識別子、国際モビリティ識別子、無線一時ネットワーク識別子（ＲＮＴＩ）、制御ＲＮＴＩ、またはモバイル識別子を受信することをさらに備える。この別の態様において、ＵＥ  ＩＤのセットは、基地局によって明示的に送信され、通信インターフェースによって受信される。
【００６２】
６０４で、方法６００は、ＵＥのセットに関するＵＥ  ＩＤのセットおよびＵＬスケジューリング情報を利用して、それぞれのＵＥチャネル測定を獲得する信号プロセッサ（例えば、受信機、復調器、およびデータプロセッサ）を使用することを備えることが可能である。一態様において、ＵＥのセットに関するＵＬスケジューリング情報を獲得することは、基地局から、サウンディング基準信号伝送のスケジュール、またはＵＥのセットのそれぞれのサブセットに関するＵＬ復調基準信号伝送のスケジュールを受信することをさらに備える。さらなる態様において、それぞれのＵＥチャネル測定を獲得することは、ＵＬスケジューリング情報に従って送信されるＵＥのセットのサブセットのＵＬ信号のセットを測定することをさらに備える。この場合、方法６００は、ＵＬ信号のセットを測定した結果を基地局に転送することをさらに備えることが可能である。
【００６３】
６０６で、方法６００は、少なくとも部分的にＵＥチャネル測定の１つまたは複数に基づいてＵＥのセットのサブセットにワイヤレスサービスを提供する割当てを受信するために通信インターフェースを使用することを備えることが可能である。或る特定の態様によれば、ＵＥのセットのサブセットにワイヤレスサービスを提供する割当てを受信することは、少なくとも部分的にＵＬ信号のセットを測定したことの結果に基づく。特定の例として、割当ては、基地局に関連付けられたそれぞれの中継ノードによって実行されるＵＬ信号のセットの複数の独立した測定に基づく割当てであることが可能である。この場合、割当ては、中継ノードのサブセットのいずれが、ＵＥのセットのサブセットの１つまたは複数に好ましいサービスを提供したかにさらに基づくことが可能である。少なくとも１つのさらなる態様において、割当ては、増分冗長性ポリシーを利用してＵＥのセットのサブセットの１つまたは複数にサービスを提供する複数の中継ノードに関する命令を備える。この態様において、増分冗長性ポリシーは、復号、信号調整、およびＵＥのセットのサブセットの１つまたは複数への再送信のために、特定のチャネル、または特定のトラヒックを複数の中継ノードのそれぞれのノードと互いに関係付けることを含むポリシーであることが可能である。
【００６４】
本開示の別の態様において、割当ては、ＵＥのセットのサブセットにサービスを提供するための特定の中継ノードを識別することが可能である。この態様において、割当ては、ＵＥのセットのサブセットにサービスを提供すべき１つまたは複数のピコセルを割り当てること、ＵＥのセットのサブセットにサービスを提供すべき１つまたは複数の遠隔無線ヘッドを割り当てること、ＵＥのセットのサブセットにサービスを提供すべき１つまたは複数のスマートリピータを割り当てること、ＵＥのセットのサブセットにサービスを提供すべき１つまたは複数の増分冗長中継器を割り当てること、または以上の適切な組合せの少なくとも１つを行う。
【００６５】
図７は、本開示のさらに他の態様によるサンプルの方法７００の流れ図を示す。７０２で、方法７００は、ＵＥのセットのそれぞれのＵＥに関するＵＥ  ＩＤのセットおよびＵＬスケジューリング情報を獲得することを備えることが可能である。７０４で、方法７００は、スケジューリング情報に従ってＵＥのセットのサブセットのＵＬ信号を識別することを備えることが可能である。７０６で、方法７００は、ＵＥのセットのサブセットのＵＬ信号を測定して、ＵＬ信号に関係のあるＵＬチャネル測定を獲得することを備えることが可能である。７０８で、方法７００は、その測定の結果をサービング基地局に転送することを備えることが可能である。７１０で、方法７００は、ＵＥの１つまたは複数にサービスを提供する割当てを受信することを備えることが可能であり、この割当ておよびサービスは、少なくとも部分的にその測定の結果に基づく。さらに、７１２で、方法７００は、割当てが、ＵＥの１つまたは複数のうちの少なくとも１つに関してマルチノードサービスを指定するかどうかの判定を行うことが可能である。割当てがマルチノードサービスを指定する場合、方法７００は、７１４に進むことが可能であり、指定しない場合、方法７００は、７１８に進む。
【００６６】
７１４で、方法７００は、割当てから冗長性ポリシーを抽出することを備えることが可能である。７１６で、方法７００は、冗長性ポリシー内で指定されるとおり、１つまたは複数のＵＥに選択されたワイヤレスサービスを提供することを備えることが可能である。例えば、冗長性ポリシーは、選択されたワイヤレスサービスに関連する１つまたは複数のＵＥのトラヒックの一部分を指定することができる。トラヒックの適切な部分は、制御トラヒックサービスまたはデータトラヒックサービスを提供すること、１つまたは複数の特定のタイプのトラヒック（例えば、音声トラヒック、ＶｏＩＰトラヒック、ストリーミングメディアトラヒック、ウェブブラウジングトラヒック、アプリケーション固有のトラヒックなど）にサービスを提供すること、または１つまたは複数のＵＥにかかわる１つまたは複数の特定のデータストリームにサービスを提供することを備えることが可能である。７１８で、方法７００は、割当てによって指定されたとおり、１つまたは複数のＵＥにデータサービスを提供することを備えることが可能である。
【００６７】
図８は、本開示のさらなる１つまたは複数の態様による例示的な方法８００の流れ図を示す。８０２で、方法８００は、ワイヤレス通信インターフェースを使用して、ＵＥのセットにリソース割当てを直接にワイヤレスで送ることを備えることが可能であり、リソース割当ては、共通のワイヤレスリソース上でＵＥのセットのそれぞれに関する伝送をスケジュールする。詳細には、共通のワイヤレスリソースは、単一の伝送タイムスロット、または伝送タイムスロットのセット（例えば、単一のサブフレーム）の中で１つまたは複数の周波数帯域、１つまたは複数のトーン、１つまたは複数の符号などを指定することができる。さらに、８０４で、方法８００は、ワイヤレス通信インターフェースを使用して、１つまたは複数のワイヤレスノード経由でＵＥのセットへのデータ伝送、またはＵＥのセットからのデータ伝送をルーティングして、少なくとも、それらのデータ伝送に関する共通のワイヤレスリソース上でセル分割利得を実現することを備えることが可能である。
【００６８】
本開示の一態様において、方法８００は、それらの共通のワイヤレスリソースのために共通のＵＬワイヤレスリソースを使用することをさらに備えることが可能であり、データ伝送は、１つまたは複数のワイヤレスノード経由でＵＥのセットから受信され、さらにセル分割利得は、その共通のＵＬワイヤレスリソース上で観測される。代替の態様において、方法８００は代わりに、１つまたは複数のワイヤレスノードのそれぞれのノードから共通のＤＬワイヤレスリソース上でＤＬデータ伝送をルーティングして、その共通のＤＬワイヤレスリソース上でＤＬセル分割利得を実現することを備えることが可能である。
【００６９】
さらなる態様によれば、方法８００は、ＵＥのセットの各ＵＥに関するＤＬデータ伝送およびＵＬデータ伝送をルーティングするためにそれぞれのワイヤレス中継器を使用することをさらに備えることが可能である。代替として、方法８００は代わりに、ＵＥのセットの少なくとも１つのＵＥに関するＤＬデータ伝送およびＵＬデータ伝送をルーティングするために複数のワイヤレス中継器を使用することを備えることが可能である。複数のワイヤレス中継器を使用する態様において、方法８００は、ＵＥのセットの少なくとも１つのＵＥに関して、マルチアンテナＤＬ送信またはマルチアンテナＤＬ受信を提供して、マルチアンテナワイヤレス通信で入手可能なスループット利得またはデータレート利得を実現することが可能である。
【００７０】
さらなる他の態様によれば、方法８００は、１つまたは複数のワイヤレスノードのＤＬ送信範囲を、基地局に、その１つまたは複数のワイヤレスノードによって使用されるＤＬワイヤレスリソースのセットを空白にさせることによって、増大させることをさらに備えることが可能である。詳細には、ＤＬワイヤレスリソースのセットは、共通のワイヤレスリソースと同時であるワイヤレスリソースを含むことが可能である。代替の態様、またはさらなる態様において、方法８００は、ＵＥのセットの少なくとも１つのＵＥのＵＬ送信範囲を、ＵＥのセットのさらなる少なくとも１つのＵＥに、ＵＥのセットのその少なくとも１つのＵＥによって使用されるＵＬワイヤレスリソースのセットを空白にするよう命令することによって、増大させることを備えることが可能である。前述のＤＬワイヤレスリソースと同様に、ＵＬ送信範囲は、ＵＥのセットのさらなる少なくとも１つのＵＥによって空白にされるＵＬワイヤレスリソースのセットが共通のワイヤレスリソースと同時である場合に、増大させられることが可能である。
【００７１】
別の態様において、方法８００は、ＵＥのセットのサブセットにそれぞれのスクランブリング符号を割り当てて、共通のワイヤレスリソース上で同時に送られる複数のデータ伝送のそれぞれのデータ伝送を区別することを円滑にすることを備えることが可能である。この態様において、それぞれのスクランブリング符号を割り当てることは、所定のスクランブリング符号のセットからスクランブリング符号を導き出すこと、またはＵＥのセットのサブセットのそれぞれのＵＥに一意の識別子に応じてスクランブリング符号を生成することをさらに備えることが可能である。以上のことの部分的態様として、スクランブリング符号を割り当てることは、ＵＥのセットのサブセットのそれぞれのＵＥにスクランブリング符号シードまたはスクランブリング符号シーディング関数を送って、それぞれのＵＥによるスクランブリング符号の１つの符号の生成を可能にすること、物理層制御チャネルまたは層２制御チャネルを利用して、スクランブリング符号の１つまたは複数を備える割当て許可を送信すること、または層３シグナリングを使用して、ＵＥのセットのサブセットの１つまたは複数のＵＥにスクランブリング符号を明示的に送ること、あるいは以上の適切な組合せの少なくとも１つをさらに備えることが可能である。
【００７２】
本開示のさらに他の態様において、方法８００は、１つまたは複数のワイヤレスノードとＵＥのセットの間の中継チャネルのセットに関係のあるＣＱＩ情報を獲得することを円滑にすることをさらに備えることが可能である。詳細には、ＣＱＩ情報を獲得することは、一実例において、中継チャネルのセットのそれぞれの中継チャネルに関するＴＤＤチャネル相互関係を使用して、１つまたは複数のワイヤレスノードのそれぞれのノードに対するそれぞれのパスロスを推定することを備えることが可能である。しかし、代替の実例において、ＣＱＩ情報を獲得することは代わりに、ＵＥのセットのサブセットによって送信された低再使用中継器専用ＣＱＩ基準信号を分析して、ＵＥのセットのサブセットに関連付けられたそれぞれのアクセスチャネルに関する実現可能なＣＱＩを推定することを備えることが可能である。
【００７３】
さらなる１つの態様によれば、方法８００は、ＵＥのセットの１つまたは複数のＵＥに関する電力制御を円滑にすることを備えることが可能である。例えば、電力制御を円滑にすることは、有線またはワイヤレスのバックホールリンクを介して１つまたは複数のワイヤレスノードの少なくとも１つからＵＬ信号測定を獲得することを備えることが可能である。さらに、電力制御を円滑にすることは、ＵＬ信号測定を分析して、１つまたは複数のワイヤレスノードの少なくとも１つによるサービスを受けるＵＥのセットの１つまたは複数のＵＥに関するＵＬ電力制御のセットを導き出すことを備えることも可能である。ＵＬ電力制御のセットが導き出されると、方法８００は、ＵＬ電力制御のセットに基づいて、１つまたは複数のワイヤレスノードの少なくとも１つを介して１つまたは複数のＵＥにＵＬ電力制御コマンドを発行することが可能である。
【００７４】
図９は、本開示のさらに他の態様によるサンプルの方法９００の流れ図を示す。９０２で、方法９００は、ＵＥのセットのアクセスリンクデータ伝送のための共通のリソースを識別することを備えることが可能である。９０４で、方法９００は、リソーススケジュールの中でアクセスリンクデータ伝送を割り当てることを備えることが可能である。さらに、９０６で、方法９００は、それぞれのデータ伝送に関するスクランブリング符号またはスクランブリングシードを確立することを備えることが可能であり、さらに９０８で、リソーススケジュールおよびスクランブリング符号／スクランブリングシードを、ＤＬ制御チャネル上の制御シグナリングを介してＵＥのセットに直接に送ることを備えることが可能である。
【００７５】
以上に加えて、９１０で、方法９００は、ＵＥのセットのデータ伝送に関するデータトラヒックを扱うべき中継ノードのセットを割り当てることを備えることが可能である。９１２で、方法９００は、その割当てを中継ノードのセットのそれぞれの中継ノードに転送することを備えることが可能である。９１４で、方法９００は、共通のリソース上で基地局の送信電力を低減すること、または伝送を空白化することをさらに備えることが可能である。
【００７６】
９１６で、ＵＥのセットが低再使用ＣＱＩ−ＲＳを識別するように、または使用するように構成されていないレガシーＵＥを備えるかどうかの判定が、行われる。そのようなＵＥが、ＵＥのセットの中に全く含められていない場合、方法９００は、９１８に進む。含められている場合、方法９００は、９２２に進む。
【００７７】
９１８で、方法９００は、低再使用ＣＱＩ−ＲＳを、低再使用ＣＱＩ−ＲＳを使用するように構成されたＵＥのセットの非レガシーＵＥに割り当てることを備えることが可能である。９２０で、方法９００は、非レガシーＵＥからそれぞれの低再使用ＣＱＩ−ＲＳ伝送を受信すること、およびそれぞれの低再使用ＣＱＩ−ＲＳ伝送からそれぞれのＣＱＩ情報を推定することを備えることが可能である。９２０から、方法９００は、９２６に進む。
【００７８】
９２２で、方法９００は、中継ノードのセットの中継ノードをＵＥのセットのＵＥに結合するそれぞれのアクセスチャネルに関するＴＤＤチャネル相互関係を識別することを備えることが可能である。９２４で、方法９００は、それぞれのアクセスチャネルに関するＴＤＤチャネル相互関係からそれぞれのパスロス情報を推定することを備えることが可能である。９２６で、方法９００は、中継ノードのセットのそれぞれの中継ノードからＵＬチャネル測定を獲得することを備えることが可能である。９２８で、方法９００は、少なくとも部分的にＵＬチャネル測定、それぞれのＣＱＩ情報またはそれぞれのパスロス情報、あるいは以上の適切な組合せに基づいて、それぞれの中継ノード、またはＵＥのセットのそれぞれのＵＥに関するそれぞれの電力制御を計算することを備えることが可能である。次に、それぞれの電力制御が、その後の伝送のために、中継ノード、およびＵＥのセットのＵＥに配信されることが可能である。
【００７９】
図１０および図１１は、本開示の態様によるワイヤレス通信においてマルチノード割当ておよびマルチノードセル分割を実施するためのそれぞれの例示的な装置１０００、１１００を示す。例えば、装置１０００、１１００は、ワイヤレス通信ネットワーク内に、さらに／またはノード、基地局、アクセスポイント、ユーザ端末装置、モバイルインターフェースカードに結合されたパーソナルコンピュータなどのワイヤレス受信機内に少なくとも部分的に存在することが可能である。装置１０００、１１００は、プロセッサ、ソフトウェア、またはプロセッサとソフトウェアの組合せ（例えば、ファームウェア）によって実施される機能を表す機能ブロックであり得る、機能ブロックを含むものとして表されていることを認識されたい。
【００８０】
装置１０００は、装置１０００の機能を実行するように構成されたモジュールまたは命令を格納するためのメモリ１００２を備えることが可能である。装置１０００は、通信インターフェースを使用して、装置１０００に関連付けられた基地局によるサービスを受けるＵＥのセットに関するＵＥ  ＩＤのセットを獲得するためのモジュール１００４をさらに備えることが可能である。さらに、装置１０００は、ＵＥのセットに関するＵＥ  ＩＤのセットおよびＵＬスケジューリング情報を利用して、ＵＥのセットのそれぞれのＵＥによって使用されるアクセスチャネルのそれぞれのＵＥチャネル測定を獲得する信号プロセッサ１０１０を使用するためのモジュール１００６を備えることが可能である。さらに、装置１０００は、少なくとも部分的にＵＥチャネル測定の１つまたは複数に基づいてＵＥのセットのサブセットにワイヤレスサービスを提供する割当てを受信するために通信インターフェースを使用するためのモジュール１００８を備えることが可能である。
【００８１】
装置１１００は、装置１１００に関連付けられた中継ノードのセットによるサービスを受けるＵＥのセットにかかわるワイヤレス通信に関してセル分割を提供することを含め、装置１１００の機能を実行するように構成されたモジュールまたは命令を格納するためのメモリ１１０２を備えることが可能である。さらに、装置１１００は、ワイヤレストランシーバを使用して、ＵＥのセットにリソース割当てを直接に送信するためのモジュール１１０４を備えることが可能であり、このリソース割当ては、共通のワイヤレスリソース上でＵＥのセットのそれぞれに関する伝送をスケジュールする。さらに、装置１１００は、ワイヤレストランシーバを使用して、１つまたは複数のワイヤレスノード経由でＵＥのセットのそれぞれのデータ伝送をルーティングして、少なくとも共通のワイヤレスリソース上でそれらのデータ伝送の少なくとも１つに関してセル分割利得を実現するためのモジュール１１０６を備えることが可能である。
【００８２】
図１２は、本明細書で開示される一部の態様によるワイヤレス通信を円滑にすることができる例示的なシステム１２００のブロック図を示す。ＤＬ上で、アクセスポイント１２０５において、送信（ＴＸ）データプロセッサ１２１０が、トラヒックデータを受信し、フォーマットし、符号化し、インターリーブし、変調して（またはシンボルマッピングして）、変調シンボル（「データシンボル」）をもたらす。シンボル変調器１２１５が、それらのデータシンボルおよびパイロットシンボルを受け取り、処理して、シンボルのストリームをもたらす。シンボル変調器１２１５は、データシンボルとパイロットシンボルを多重化し、多重化されたシンボルを送信機ユニット（ＴＭＴＲ）１２２０に供給する。各送信シンボルは、データシンボル、パイロットシンボル、または０の信号値であることが可能である。パイロットシンボルは、各シンボル周期内で継続的に送られることが可能である。パイロットシンボルは、周波数分割多重化（ＦＤＭ）される、直交周波数分割多重化（ＯＦＤＭ）される、時分割多重化（ＴＤＭ）される、符号分割多重化（ＣＤＭ）される、または以上、または同様の変調技術および／または伝送技術の適切な組合せであることが可能である。
【００８３】
ＴＭＴＲ１２２０が、シンボルのストリームを受け取り、１つまたは複数のアナログ信号に変換し、さらにそれらのアナログ信号を調整して（例えば、増幅し、フィルタリングし、さらに周波数アップコンバートして）、ワイヤレスチャネルを介して送信するのに適したＤＬ信号を生成する。次に、そのＤＬ信号が、アンテナ１２２５を介して端末装置に送信される。端末装置１２３０で、アンテナ１２３５が、そのＤＬ信号を受信し、受信された信号を受信機ユニット（ＲＣＶＲ）１２４０に供給する。受信ユニット１２４０が、その受信された信号を調整し（例えば、フィルタリングし、増幅し、周波数ダウンコンバートして）、その調整された信号をディジタル化して、サンプルを獲得する。シンボル復調器１２４５が、受信されたパイロットシンボルを復調して、チャネル推定のためにプロセッサ１２５０に供給する。シンボル復調器１２４５が、プロセッサ１２５０からＤＬに関する周波数応答推定をさらに受け取り、受信されたデータシンボルに対してデータ復調を実行して、データシンボル推定（送信されたデータシンボルの推定である）を獲得し、それらのデータシンボル推定をＲＸデータプロセッサ１２５５に供給し、プロセッサ１２５５が、それらのデータシンボル推定を復調（すなわち、シンボルディマッピングし）、ディインターリーブし、復号して、送信されたトラヒックデータを回復する。シンボル復調器１２４５およびＲＸデータプロセッサ１２５５による処理は、それぞれアクセスポイント１２０５におけるシンボル変調器１２１５およびＴＸデータプロセッサ１２１０による処理と相補的である。
【００８４】
ＵＬ上で、ＴＸデータプロセッサ１２６０が、トラヒックデータを処理し、データシンボルを供給する。シンボル変調器１２６５が、データシンボルをパイロットシンボルと一緒に受け取り、変調して、シンボルのストリームをもたらす。次に、送信機ユニット１２７０が、シンボルのストリームを受け取り、処理して、アンテナ１２３５によってアクセスポイント１２０５に送信されるＵＬ信号を生成する。具体的には、ＵＬ信号は、ＳＣ−ＦＤＭＡ要件に準拠することが可能であり、本明細書で説明されるとおり、周波数ホッピング機構を含むことが可能である。
【００８５】
アクセスポイント１２０５で、端末装置１２３０からのＵＬ信号が、アンテナ１２２５によって受信され、受信機ユニット１２７５によって処理されて、サンプルが獲得される。次に、シンボル復調器１２８０が、それらのサンプルを処理し、ＵＬに関する受信されたパイロット信号およびデータシンボルの推定をもたらす。ＲＸデータプロセッサ１２８５が、それらのデータシンボル推定を処理して、端末装置１２３０によって送信されたトラヒックデータを回復する。プロセッサ１２９０が、ＵＬ上で送信する各活性の端末装置に関するチャネル推定を実行する。複数の端末装置が、ＵＬ上で、パイロットサブバンドの割り当てられたそれぞれのセットの上でパイロットを同時に送信することが可能であり、これらのパイロットサブバンドセットは、インターレースされ得る。
【００８６】
プロセッサ１２９０および１２５０が、それぞれ、アクセスポイント１２０５および端末装置１２３０における動作を誘導する（例えば、制御する、調整する、管理するなど）。それぞれのプロセッサ１２９０および１２５０は、プログラムコードおよびデータを格納するメモリユニット（図示せず）に関連付けられることが可能である。また、プロセッサ１２９０および１２５０は、それぞれ、ＵＬおよびＤＬに関する周波数ベース、および時間ベースのインパルス応答推定を導き出す計算を実行することもできる。
【００８７】
多元接続システム（例えば、ＳＣ−ＦＤＭＡ、ＦＤＭＡ、ＯＦＤＭＡ、ＣＤＭＡ、ＴＤＭＡなど）の場合、複数の端末装置が、ＵＬ上で同時に送信することが可能である。そのようなシステムに関して、パイロットサブバンドは、異なる端末装置の間で共有され得る。チャネル推定技術は、各端末装置に関するパイロットサブバンドが動作帯域全体（場合により、帯域端部を除いて）にわたる場合に使用されることが可能である。そのようなパイロットサブバンド構造は、各端末装置に関して周波数ダイバーシティを得るのに望ましい。
【００８８】
本明細書で説明される技術は、様々な手段によって実施されることが可能である。例えば、これらの技術は、ハードウェアで、ソフトウェアで、またはハードウェアとソフトウェアの組合せで実施されることが可能である。ディジタル、アナログ、またはディジタルとアナログの両方であり得るハードウェア実施形態の場合、チャネル推定のために使用される処理ユニットは、１つまたは複数の特定用途向け集積回路（ＡＳＩＣ）、ディジタル信号プロセッサ（ＤＳＰ）、ディジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明される機能を実行するように設計された他の電子ユニット、または以上の組合せの内部に実装されることが可能である。ソフトウェアの場合、実施は、本明細書で説明される機能を実行するモジュール（例えば、手順、機能など）を介することが可能である。これらのソフトウェアコードは、メモリユニットの中に格納されて、プロセッサ１２９０および１２５０によって実行されることが可能である。
【００８９】
図１３は、１つまたは複数の態様に関連して利用され得る、複数の基地局（ＢＳ）１３０（例えば、ワイヤレスアクセスポイント、ワイヤレス通信装置）と、複数の端末装置１３２０（例えば、ＡＴ）とを有するワイヤレス通信システム１３００を示す。ＢＳ１３１０は、一般に、端末装置と通信する固定局であり、アクセスポイントまたはノードＢと呼ばれる、あるいは他の何らかの用語で呼ばれることが可能である。各ＢＳ１３１０は、１３０２ａ、１３０２ｂ、および１３０２ｃというラベルが付けられた、図１３における３つの地理的区域として示される特定の地理的区域またはカバレッジエリアに通信カバレッジを提供する。「セル」という用語は、この用語が使用される文脈に依存して、ＢＳを指すことも、ＢＳのカバレッジエリアを指すことも可能である。システム容量を増加させるのに、ＢＳの地理的区域／カバレッジエリアは、より小さい複数の区域（例えば、図１３におけるセル１３０２ａによる、より小さい３つの区域）、１３０４ａ、１３０４ｂ、および１３０４ｃに分割されることが可能である。より小さい各区域（１３０４ａ、１３０４ｂ、１３０４ｃ）は、それぞれのベーストランシーバサブシステム（ＢＴＳ）によるサービスを受けることが可能である。「セクタ」という用語は、この用語が使用される文脈に依存して、ＢＴＳを指すことも、ＢＴＳのカバレッジエリアを指すことも可能である。セクタ化されたセルの場合、そのセルのすべてのセクタのためのＢＴＳは、通常、そのセルの基地局内に並置される。本明細書で説明される伝送技術は、セクタ化されたセルを有するシステムのためにも、セクタ化されていないセルを有するシステムのためにも使用され得る。簡明のため、この説明では、特に明記しない限り、「基地局」という用語は、セクタにサービスを提供する固定局、およびセルにサービスを提供する固定局の総称として使用される。
【００９０】
端末装置１３２０は、通常、システム全体にわたって散らばり、各端末装置１３２０は、固定型であることも、モバイルであることも可能である。また、端末装置１３２０は、移動局、ユーザ機器、ユーザデバイス、ワイヤレス通信装置、アクセス端末装置、またはユーザ端末装置と呼ばれる、あるいは他の何らかの用語で呼ばれることも可能である。端末装置１３２０は、ワイヤレスデバイス、セルラ電話機、携帯情報端末（ＰＤＡ）、ワイヤレスモデムカードなどであることが可能である。各端末装置１３２０は、任意の所与の時点で、ダウンリンク（例えば、ＦＬ）およびアップリンク（例えば、ＲＬ）で全くＢＳ１３１０と通信しないことも、１つまたは複数のＢＳ１３１０と通信することも可能である。ダウンリンクとは、基地局から端末装置に至る通信リンクを指し、アップリンクとは、端末装置から基地局に至る通信リンクを指す。
【００９１】
集中型アーキテクチャの場合、システムコントローラ１３３０が基地局１３１０に結合され、ＢＳ１３１０に関する調整および制御を提供する。分散型アーキテクチャの場合、ＢＳ１３１０は、必要に応じて、互いに通信することが可能である（例えば、ＢＳ１３１０を通信するように結合する有線またはワイヤレスのバックホールネットワークによって）。順方向リンク上のデータ伝送は、しばしば、順方向リンクまたは通信システムによってサポートされ得る最大データレートで、または最大データレート近くで１つのアクセスポイントから１つのアクセス端末装置に行われる。順方向リンクのさらなるチャネル（例えば、制御チャネル）が、複数のアクセスポイントから１つのアクセス端末装置に送信されることが可能である。逆方向リンクデータ通信は、１つのアクセス端末装置から１つまたは複数のアクセスポイントに行われることが可能である。
【００９２】
図１４は、様々な態様による計画された、または半ば計画されたワイヤレス通信環境１４００の図である。ワイヤレス通信環境１４００は、互いに、さらに／または１つまたは複数のモバイルデバイス１４０４を相手にワイヤレス通信信号の受信、送信、再送などを行う１つまたは複数のセルおよび／またはセクタの中の１つまたは複数のＢＳ１４０２を備えることが可能である。図示されるとおり、各ＢＳ１４０２は、１４０６ａ、１４０６ｂ、１４０６ｃ、および１４０６ｄというラベルが付けられた４つの地理的区域として例示される、特定の地理的区域に通信カバレッジを提供することが可能である。各ＢＳ１４０２は、送信機チェーンおよび受信機チェーンを備えることが可能であり、送信機チェーンおよび受信機チェーンのそれぞれは、当業者には認識されるとおり、信号送信および信号受信に関連する複数の構成要素（例えば、プロセッサ、変調器、多重化装置、復調器、逆多重化装置、アンテナなど、前出の図１２を参照）を備えることが可能である。モバイルデバイス１４０４は、例えば、セルラ電話機、スマートフォン、ラップトップ、ハンドヘルド通信デバイス、ハンドヘルドコンピューティングデバイス、衛星ラジオ、グローバルポジショニングシステム、ＰＤＡ、あるいはワイヤレス通信環境１４００を介して通信するための他の任意の適切なデバイスであることが可能である。ワイヤレス通信環境１４００は、本明細書で説明されるとおり、ワイヤレス通信におけるマルチノード中継器割当ておよびセル分割の効果を促進するために、本明細書で説明される様々な態様に関連して使用されることが可能である。
【００９３】
本開示において使用される「構成要素」、「システム」、「モジュール」などの用語は、ハードウェア、ソフトウェア、実行中のソフトウェア、ファームウェア、ミドルウェア、マイクロコード、および／または以上の組合せである、コンピュータ関連のエンティティを指すことを意図している。例えば、モジュールは、プロセッサ上で実行されているプロセス、プロセッサ、オブジェクト、実行可能ファイル、実行のスレッド、プログラム、デバイス、および／またはコンピュータであることが可能であるが、以上には限定されない。１つまたは複数のモジュールが、プロセス内、または実行のスレッド内に存在することが可能であり、さらにモジュールは、１つの電子デバイス上に局在化されることも、２つ以上の電子デバイスの間に分散されることも可能である。さらに、これらのモジュールは、様々なデータ構造が格納されている様々なコンピュータ可読媒体から実行されることが可能である。これらのモジュールは、１つまたは複数のデータパケットを有する信号によるなどして、ローカルプロセスまたは遠隔プロセスによって通信することができる（例えば、１つの構成要素からのデータが、信号によって、ローカルシステムまたは分散システムにおける別の構成要素と対話して、あるいはインターネットなどのネットワークを介して他のシステムと対話して）。さらに、本明細書で説明されるシステムの構成要素またはモジュールは、それらの構成要素またはモジュールに関して説明される様々な態様、目標、利点などを実現することを円滑にするために、再構成される、またはさらなる構成要素／モジュール／システムによって補完されることが可能であり、当業者によって認識されるとおり、所与の図に示される構成そのものに限定されない。
【００９４】
さらに、様々な態様が、ＵＥに関連して本明細書で説明される。ＵＥは、システム、加入者ユニット、加入者局、移動局、モバイル、モバイル通信デバイス、モバイルデバイス、遠隔局、遠隔端末装置、ＡＴ、ユーザエージェント（ＡＴ）、ユーザデバイス、またはユーザ端末装置（ＵＴ）と呼ばれることも可能である。加入者局は、セル電話機、コードレス電話機、セッション開始プロトコル（ＳＩＰ）電話機、ワイヤレスローカルループ（ＷＬＬ）局、携帯情報端末（ＰＤＡ）、ワイヤレス接続能力を有するハンドヘルドデバイス、あるいはワイヤレスモデムに、または処理デバイスとのワイヤレス通信を円滑にする類似した機構に接続された他の処理デバイスであることが可能である。
【００９５】
１つまたは複数の例示的な実施形態において、説明される機能は、ハードウェアで、ソフトウェアで、ファームウェアで、ミドルウェアで、マイクロコードで、または以上の任意の適切な組合せで実施されることが可能である。ソフトウェアで実施される場合、それらの機能は、１つまたは複数の命令またはコードとしてコンピュータ可読媒体上に格納される、またはコンピュータ可読媒体を介して送信されることが可能である。コンピュータ可読媒体は、１つの場所から別の場所にコンピュータプログラムを移すことを円滑にする任意の媒体を含むコンピュータ記憶媒体と通信媒体の両方を含む。記憶媒体は、コンピュータによってアクセスされ得る任意の物理的媒体であることが可能である。例として、限定としてではなく、そのようなコンピュータ記憶媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、スマートカード、およびフラッシュメモリデバイス（例えば、カード、スティック、キードライブなど）、あるいは命令またはデータ構造の形態で所望されるプログラムコードを伝送する、または格納するのに使用されることが可能であり、さらにコンピュータによってアクセスされ得る他の任意の媒体を備えることが可能である。例えば、ソフトウェアが、同軸ケーブル、光ファイバケーブル、より対線、ディジタル加入者線（ＤＳＬ）、あるいは赤外線、無線、およびマイクロ波などのワイヤレス技術を使用してウェブサイト、サーバ、または他の遠隔ソースから送信される場合、その同軸ケーブル、光ファイバケーブル、より対線、ＤＳＬ、あるいは赤外線、無線、およびマイクロ波などのワイヤレス技術が、媒体の定義に含められる。本明細書で使用されるディスク（ｄｉｓｋ）およびディスク（ｄｉｓｃ）には、コンパクトディスク（ＣＤ）、レーザディスク、光ディスク、ディジタルバーサタイルディスク（ＤＶＤ）、フロッピー（登録商標）ディスク、およびブルーレイディスクが含まれ、ただし、ディスク（ｄｉｓｋ）は、通常、データを磁気的に再現するのに対して、ディスク（ｄｉｓｃ）は、レーザを使用してデータを光学的に再現する。また、以上の媒体の組合せも、コンピュータ可読媒体の範囲内に含められなければならない。
【００９６】
ハードウェア実施形態の場合、本明細書で開示される態様に関連して説明される処理ユニットの様々な例示的なロジック、論理ブロック、モジュール、および回路は、１つまたは複数のＡＳＩＣ、ＤＳＰ、ＤＳＰＤ、ＰＬＤ、ＦＰＧＡ、ディスクリートのゲートもしくはトランジスタロジック、ディスクリートのハードウェア構成要素、汎用プロセッサ、コントローラ、マイクロコントローラ、マイクロプロセッサ、本明細書で説明される機能を実行するように設計された他の電子ユニット、あるいは以上の組合せの内部で実施される、または実行されることが可能である。汎用プロセッサは、マイクロプロセッサであることが可能であるが、代替として、プロセッサは、任意の従来のプロセッサ、コントローラ、マイクロコントローラ、または状態マシンであり得る。また、プロセッサは、コンピューティングデバイスの組合せとして、例えば、ＤＳＰとマイクロプロセッサの組合せとして、複数のマイクロプロセッサとして、ＤＳＰコアと連携する１つまたは複数のマイクロプロセッサとして、あるいは他の任意の適切な構成として実施されることも可能である。さらに、少なくとも１つのプロセッサは、本明細書で説明されるステップおよび／またはアクションの１つまたは複数を実行するように動作可能な１つまたは複数のモジュールを備えることが可能である。
【００９７】
さらに、本明細書で説明される様々な態様または特徴は、標準のプログラミング技術および／またはエンジニアリング技術を使用して、方法、装置、または製造品として実施されることが可能である。さらに、本明細書で開示される態様に関連して説明される方法またはアルゴリズムのステップおよび／またはアクションは、ハードウェアで直接に、プロセッサによって実行されるソフトウェアモジュールで、またはハードウェアとそのようなソフトウェアモジュールの組合せで実現されることが可能である。さらに、一部の態様において、方法またはアルゴリズムのステップまたはアクションは、コンピュータプログラム製品に組み込まれ得るマシン可読媒体またはコンピュータ可読媒体の上のコードまたは命令の少なくとも１つ、または任意の組合せもしくはセットとして存在することが可能である。本明細書で使用される「製造品」という用語は、任意の適切なコンピュータ可読デバイスまたはコンピュータ可読媒体においてアクセス可能なコンピュータプログラムを包含することを意図している。
【００９８】
さらに、「例示的」という語は、例、実例、または例示の役割をすることを意味するように本明細書で使用される。本明細書で「例示的」と説明されるいずれの態様または設計も、必ずしも、他の態様または設計より好ましい、または有利であると解釈されるべきではない。むしろ、例示的という語の使用は、具体的な仕方で概念を提示することを意図している。本出願で使用される「または」という用語は、排他的な「または」ではなく、包含的な「または」を意味することを意図している。つまり、特に明記しない限り、または文脈から明らかでない限り、「Ｘは、ＡまたはＢを使用する」は、自然な包含的な置換のいずれかを意味することを意図している。つまり、Ｘが、Ａを使用する場合、Ｘが、Ｂを使用する場合、またはＸが、ＡとＢをともに使用する場合、以上の実例のいずれの下でも「Ｘは、ＡまたはＢを使用する」が満たされる。さらに、本出願、および添付の特許請求の範囲において使用される「或る」という冠詞は、特に明記しない限り、または単数形に向けられるべきことが文脈から明らかでない限り、一般に、「１つまたは複数の」を意味すると解釈されるべきである。
【００９９】
さらに、本明細書で使用される「推測する」または「推測」という用語は、一般に、イベントまたはデータを介して捕捉される観測のセットからシステム、環境、またはユーザの状態について推論する、または推測するプロセスを指す。推測は、特定のコンテキストまたはアクションを識別するのに使用されることが可能であり、あるいは、例えば、いくつかの状態にわたる確率分布を生成することが可能である。推測は、確率論的であること、つまり、データおよびイベントの考慮に基づく、関心対象のいくつかの状態にわたる確率分布の計算であることが可能である。また、推測は、イベントのセット、またはデータから、より高いレベルのイベントを構成するために使用される技術を指すことも可能である。そのような推測は、イベントが時間的に非常に近接して互いに関係しているか否かにかかわらず、さらにイベントおよびデータが１つのイベントおよびデータのソースに由来するか、複数のイベントおよびデータのソースに由来するかにかかわらず、観測されたイベントおよび／または格納されたイベントデータのセットから新たなイベントまたはアクションの構築をもたらす。
【０１００】
以上に説明したことには、主張される主題の態様の実施例が含まれる。もちろん、主張される主題を説明する目的で構成要素または方法の考えられるすべての組合せを説明することは不可能であるが、開示される主題の多くのさらなる組合せおよび置換が可能であることが当業者には認識され得る。したがって、開示される主題は、添付の特許請求の範囲の趣旨および範囲に含まれるすべてのそのような変更、変形、および変種を包含することを意図している。さらに、「含む」、「有する」、または「有している」という語が、詳細な説明、または特許請求の範囲において使用される限りで、そのような用語は、「備える」という語が、請求項におけるつなぎの語として使用される場合に解釈される、「備える」と同様に包含的であることを意図している。
【図１】
2014112842.tif 000003
【図２】
2014112842.tif 000004
【図３】
2014112842.tif 000005
【図４】
2014112842.tif 000006
【図５】
2014112842.tif 000007
【図６】
2014112842.tif 000008
【図７】
2014112842.tif 000009
【図８】
2014112842.tif 000010
【図９】
2014112842.tif 000011
【図１０】
2014112842.tif 000012
【図１１】
2014112842.tif 000013
【図１２】
2014112842.tif 000014
【図１３】
2014112842.tif 000015
【図１４】
2014112842.tif 000016
【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
ワイヤレス通信のために構成された装置、該装置は下記を備える：
ＵＥを相手に、さらに前記装置に関連付けられ、前記装置から遠隔に配置されたアクセスポイントのセットを相手にワイヤレス信号を交換するために構成されたワイヤレス通信インターフェース；
相対アクセスチャネル測定に基づいて、前記ＵＥに選択的アクセスポイントサービスを提供するように構成された命令を格納するためのメモリ；および、
前記命令を実施するようにモジュールを実行するためのデータプロセッサ、
ここにおいて、前記モジュールは、下記を備える：
前記ＵＥに関する識別子（ＩＤ）および伝送スケジュールをアクセスポイントの前記セットと共有する配信モジュール；および、
アクセスポイントの前記セットのサブセットによって供給されるそれぞれのＵＥ信号測定に基づいて、前記ＵＥにサービスを提供すべきアクセスポイントの前記セットの少なくとも１つのアクセスポイントを選択する仲介モジュール。
【請求項２】
前記それぞれのＵＥ信号測定の間で前記ＵＥ信号測定の特性が異なるかどうかを識別する分析モジュールをさらに備える請求項１に記載の装置。
【請求項３】
前記特性は、前記ＵＥ信号測定の信号強度特性、信号品質特性、または信号雑音特性を備える請求項２に記載の装置。
【請求項４】
前記特性は、信号強度、信号対雑音比、ライズオーバサーマル、パスロス、相対信号干渉、実現可能な帯域幅、または実現可能なデータレート、あるいは以上の組合せを備える請求項２に記載の装置。
【請求項５】
前記仲介モジュールは、前記１つのアクセスポイントによって供給されるＵＥ信号測定に関する特性の値に基づいて、前記ＵＥにサービスを提供すべきアクセスポイントの前記セットの中の１つのアクセスポイントを選択する請求項２に記載の装置。
【請求項６】
前記仲介モジュールは、アクセスポイントの前記セットの前記サブセットの他のアクセスポイントによって供給されるそれぞれのＵＥ信号測定に関係のある前記特性のそれぞれの値と比べて、前記特定の前記値を分析するために前記メモリの中に格納された選択ポリシーを使用する請求項５に記載の装置。
【請求項７】
前記選択ポリシーは、前記特性の値の好ましい格付け、または前記特性の目標値を定義する請求項６に記載の装置。
【請求項８】
前記仲介モジュールは、前記特性の前記値が前記目標値に最も近いため、または前記特性の前記値が、前記好ましい格付けに基づいて、前記特性の前記それぞれの値を超えているために、前記１つのアクセスポイントを選択する請求項７に記載の装置。
【請求項９】
前記仲介モジュールは、アクセスポイントの前記セットの複数のアクセスポイントのそれぞれのＵＥ信号測定に関連する前記特性のそれぞれの値に基づいて、前記ＵＥにサービスを提供すべきアクセスポイントの前記セットの前記複数のアクセスポイントを選択する請求項２に記載の装置。
【請求項１０】
前記ＵＥに関連するそれぞれのトラヒック、チャネル、またはデータストリームをアクセスポイントの前記セットの前記複数のアクセスポイントのそれぞれのアクセスポイントに割り当てて、前記ＵＥに関する増分冗長サービスを円滑にする冗長性ポリシーを生成する統合モジュールをさらに備える請求項９に記載の装置。
【請求項１１】
前記冗長性ポリシーは、アクセスポイントの前記セットの前記複数のアクセスポイントのそれぞれのアクセスポイントに前記それぞれのトラヒック、チャネル、またはデータストリームを、前記それぞれのトラヒック、チャネル、またはデータストリームに関係があるアクセスポイントの前記セットの前記複数のアクセスポイントによって供給されるそれぞれのＵＥ信号測定の１つまたは複数の特性に基づいて割り当てることを含む請求項１０に記載の装置。
【請求項１２】
リソース割当てを備えるワイヤレス信号をＵＥのセットに直接に送信し、前記リソース割当ては、共通のワイヤレスリソース上にＵＥの前記セットの各ＵＥに関する伝送をスケジュールすること、および
１つまたは複数のワイヤレスノード経由でＵＥの前記セットへのデータ伝送、またはＵＥの前記セットからのデータ伝送をルーティングして、少なくとも、前記データ伝送に関する前記共通のワイヤレスリソース上でセル分割利得を実現することを備えるワイヤレス通信の方法。
【請求項１３】
前記共通のワイヤレスリソースのために共通のアップリンク（ＵＬ）ワイヤレスリソースを使用することをさらに備え、前記データ伝送は、前記１つまたは複数のワイヤレスノード経由でＵＥの前記セットから受信され、さらに前記セル分割利得は、前記共通のＵＬワイヤレスリソース上で観測される請求項１２に記載の方法。
【請求項１４】
前記１つまたは複数のワイヤレスノードのそれぞれのノードから共通のＤＬワイヤレスリソース上でＤＬデータ伝送をルーティングして、前記共通のＤＬワイヤレスリソース上でＤＬセル分割利得を実現することをさらに備える請求項１２に記載の方法。
【請求項１５】
ＵＥの前記セットの各ＵＥに関するＤＬデータ伝送およびＵＬデータ伝送をルーティングするためにそれぞれのワイヤレス中継器を使用すること、または
ＵＥの前記セットの少なくとも１つのＵＥに関する前記ＤＬデータ伝送または前記ＵＬデータ伝送をルーティングするために複数のワイヤレス中継器を使用することの少なくともいずれかをさらに備える請求項１２に記載の方法。
【請求項１６】
前記１つまたは複数のワイヤレスノードのＤＬ送信範囲を、基地局に、前記１つまたは複数のワイヤレスノードによって使用されるＤＬワイヤレスリソースのセットを空白にさせることによって、増大させることをさらに備える請求項１２に記載の方法。
【請求項１７】
ＵＥの前記セットの少なくとも１つのＵＥのＵＬ送信範囲を、ＵＥの前記セットのさらなる少なくとも１つのＵＥに、ＵＥの前記セットの前記少なくとも１つのＵＥによって使用されるＵＬワイヤレスリソースのセットを空白にするよう命令することによって、増大させることをさらに備える請求項１２に記載の方法。
【請求項１８】
ＵＥの前記セットのサブセットにそれぞれのスクランブリング符号を割り当てて、前記共通のワイヤレスリソース上で同時に送られる複数の前記データ伝送のそれぞれのデータ伝送を区別することを円滑にすることをさらに備える請求項１２に記載の方法。
【請求項１９】
所定のスクランブリング符号のセットから前記スクランブリング符号を導き出すこと、または
ＵＥの前記セットの前記サブセットのそれぞれのＵＥに一意の識別子に応じて前記スクランブリング符号を生成することの少なくともいずれかをさらに備える請求項１８に記載の方法。
【請求項２０】
前記スクランブリング符号を割り当てることは、下記の少なくともいずれかをさらに備える請求項１８に記載の方法：
ＵＥの前記セットの前記サブセットのそれぞれのＵＥにスクランブリング符号シードまたはスクランブリング符号シーディング関数を送って、前記スクランブリング符号の１つの符号の生成を可能にすること；
物理層制御チャネルまたは層２制御チャネルを利用して、前記スクランブリング符号の１つまたは複数を備える割当て許可を送信すること；または
層３シグナリングを使用して、ＵＥの前記セットの前記サブセットの１つまたは複数のＵＥに前記スクランブリング符号を明示的に送ること。
【請求項２１】
下記の少なくともいずれかによって、前記１つまたは複数のワイヤレスノードとＵＥの前記セットの間の中継チャネルの前記セットに関係のあるＣＱＩ情報を獲得することをさらに備える請求項１２に記載の方法：
中継チャネルのセットのそれぞれの中継チャネルに関する時分割複信（ＴＤＤ）チャネル相互関係を使用して、前記１つまたは複数のワイヤレスノードのそれぞれのノードに対するそれぞれのパスロスを推定すること；または、
ＵＥの前記セットの前記サブセットによって送信された低再使用中継器専用チャネル品質指標（ＣＱＩ）基準信号を分析して、ＵＥの前記セットの前記サブセットに関連付けられたそれぞれのアクセスチャネルに関する実現可能なＣＱＩを推定すること。
【請求項２２】
下記をさらに備える請求項１２に記載の方法：
有線またはワイヤレスのバックホールリンクを介して前記１つまたは複数のワイヤレスノードの少なくとも１つからＵＬ信号測定を獲得すること；
前記ＵＬ信号測定を分析して、前記１つまたは複数のワイヤレスノードの少なくとも１つによるサービスを受けるＵＥの前記セットの１つまたは複数のＵＥに関するＵＬ電力制御のセットを導き出すこと；および、
ＵＬ電力制御の前記セットに基づいて、前記１つまたは複数のワイヤレスノードの少なくとも１つを介して前記１つまたは複数のＵＥにＵＬ電力制御コマンドを発行すること。
【請求項２３】
下記手段を備えるワイヤレス通信のために構成された装置：
ＵＥのセットに、共通のワイヤレスリソース上でＵＥの前記セットの各ＵＥに関する伝送をスケジュールするリソース割当てを直接に送信するようにワイヤレストランシーバを使用するための手段；および、
１つまたは複数のワイヤレスノード経由でＵＥの前記セットのそれぞれのデータ伝送をルーティングして、少なくとも前記共通ワイヤレスリソース上で、前記データ伝送の少なくとも１つに関するセル分割利得を実現するように前記ワイヤレストランシーバを使用するための手段。
【請求項２４】
下記を備えるワイヤレス通信のために構成された少なくとも１つのプロセッサ：
ＵＥのセットに、共通のワイヤレスリソース上でＵＥの前記セットの各ＵＥに関する伝送をスケジュールするリソース割当てを直接に送信するモジュール；および、
１つまたは複数のワイヤレスノード経由でＵＥの前記セットのそれぞれのデータ伝送をルーティングして、少なくとも前記共通ワイヤレスリソース上で、前記データ伝送の少なくとも１つに関するセル分割利得を実現するモジュール。
【請求項２５】
下記コードを記録したコンピュータ可読媒体を備えるコンピュータプログラム製品：
ＵＥのセットに、共通のワイヤレスリソース上でＵＥの前記セットの各ＵＥに関する伝送をスケジュールするリソース割当てを直接に、コンピュータに送信させるためのコード；および、
前記コンピュータに、１つまたは複数のワイヤレスノード経由でＵＥの前記セットのそれぞれのデータ伝送をルーティングさせて、少なくとも前記共通ワイヤレスリソース上で、前記データ伝送の少なくとも１つに関するセル分割利得を実現するためのコード。
【請求項２６】
ワイヤレス通信のために構成された装置、該装置は下記を備える：
基地局を相手に、さらにＵＥのセットを相手にワイヤレス信号を交換するために構成された通信インターフェース；
ＵＥの前記セットの１つまたは複数のＵＥに関する遠隔ノードによって支援されたワイヤレスサービスを提供するように構成された命令を格納するためのメモリ；および、
前記命令を実施するモジュールを実行するためのデータプロセッサ、
ここにおいて、前記モジュールは、下記を備える：
装置に関連付けられた複数のワイヤレスノードによって提供されるワイヤレスリソースの単一のセットを、ＵＥの前記セットにかかわる複数のデータストリームに割り当てる、ＵＥの前記セットに関するリソーススケジュールを生成するスケジューリングモジュール；および、
前記通信インターフェースを使用して、前記複数のデータストリームに参加する前記複数のワイヤレスノードのそれぞれのノードに前記リソーススケジュールを送る配信モジュール。
【請求項２７】
前記スケジューリングモジュールは、前記複数のワイヤレスノードのそれぞれのノードに前記複数のデータストリームのそれぞれのデータストリームを割り当てる請求項２６に記載の装置。
【請求項２８】
前記スケジューリングモジュールは、前記複数のワイヤレスノードの１つまたは複数をそれぞれが備える前記複数のワイヤレスノードのそれぞれのサブセットに前記複数のデータストリームのそれぞれのデータストリームを割り当てる請求項２６に記載の装置。
【請求項２９】
前記複数のワイヤレスノードの複数のノードを備える前記複数のワイヤレスノードの前記サブセットの１つのサブセットに関する増分冗長性ポリシーを確立する統合モジュールをさらに備える請求項２８に記載の装置。
【請求項３０】
前記増分冗長性ポリシーは、前記複数のワイヤレスノードの前記サブセットの前記１つのサブセットのそれぞれのワイヤレスノードにデータストリームのいくつかの部分を割り当てることを含む請求項２９に記載の装置。
【請求項３１】
ワイヤレスリソースの前記単一のセットと同時である装置の伝送の電力を低減する減衰モジュールをさらに備える請求項２６に記載の装置。
【請求項３２】
前記スケジューリングモジュールは、ワイヤレスリソースの前記単一のセットと同時である前記装置の前記伝送をスケジュール変更し、さらに前記減衰モジュールは、ワイヤレスリソースの前記単一のセットと同時である伝送タイムスロット中、装置の送信電力を０に低減する請求項３１に記載の装置。
【請求項３３】
前記複数のワイヤレスノードとＵＥの前記セットの間の複数の伝送を区別するように前記複数のデータストリームの１つまたは複数に関する直交符号を円滑にする符号化モジュールをさらに備える請求項２６に記載の装置。
【請求項３４】
前記複数のワイヤレスノードとＵＥの前記セットの間で確立されたワイヤレスチャネルにおけるパスロスを推定するように時分割複信（ＴＤＤ）チャネル相互関係を使用する推定モジュールをさらに備える請求項２６に記載の装置。
【請求項３５】
前記スケジューリングモジュールは、前記リソーススケジュール内に、ＵＥの前記セットの１つのＵＥが低再使用ノード専用のチャネル品質指標基準信号（低再使用ノード専用のＣＱＩ−ＲＳ）を送信するようにするコマンドを含み、
前記通信インターフェースは、ＵＥの前記セットの前記１つのＵＥからアップリンクチャネル上で前記低再使用ノード専用のＣＱＩ−ＲＳを受信し、さらに
測定モジュールは、前記低再使用ノード専用のＣＱＩ−ＲＳを分析して、ＵＥの前記セットの前記１つのＵＥによって利用されるワイヤレスチャネルに関するパスロスを推定する請求項２６に記載の装置。
【請求項３６】
前記複数のワイヤレスノードの１つまたは複数は、
トランスペアレントなリピータ、
トランスペアレントなワイヤレス中継器、
トランスペアレントなピコセル、
遠隔無線ヘッド、
スマートリピータ、
増分冗長中継器、または
以上の組合せを備える請求項２６に記載の装置。
【手続補正２】
【補正対象書類名】明細書
【補正対象項目名】０１００
【補正方法】変更
【補正の内容】
【０１００】
以上に説明したことには、主張される主題の態様の実施例が含まれる。もちろん、主張される主題を説明する目的で構成要素または方法の考えられるすべての組合せを説明することは不可能であるが、開示される主題の多くのさらなる組合せおよび置換が可能であることが当業者には認識され得る。したがって、開示される主題は、添付の特許請求の範囲の趣旨および範囲に含まれるすべてのそのような変更、変形、および変種を包含することを意図している。さらに、「含む」、「有する」、または「有している」という語が、詳細な説明、または特許請求の範囲において使用される限りで、そのような用語は、「備える」という語が、請求項におけるつなぎの語として使用される場合に解釈される、「備える」と同様に包含的であることを意図している。
以下に、出願当初の特許請求の範囲に記載された発明を付記する。
［Ｃ１］
下記を備えるワイヤレス通信の方法：
基地局によるサービスを受けるＵＥのセットに関するＵＥ  ＩＤのセットを獲得すること；
ＵＥの前記セットに関するＵＥ  ＩＤの前記セットおよびＵＬスケジューリング情報を利用して、それぞれのＵＥチャネル測定を獲得すること；および、
少なくとも部分的に前記ＵＥチャネル測定の１つまたは複数に基づいてＵＥの前記セットのサブセットにワイヤレスサービスを提供する割当てを受信すること。
［Ｃ２］
前記割当てに関するＵＥの前記セットの前記サブセットの選択は、少なくとも部分的に前記基地局に関連付けられた１つまたは複数のワイヤレスアクセスポイントに応じた前記それぞれのＵＥチャネル測定の特性の違いに基づくＣ１に記載の方法。
［Ｃ３］
ＵＥの前記セットに関する前記ＵＬスケジューリング情報を獲得することは、前記基地局から、サウンディング基準信号伝送のスケジュール、またはＵＥの前記セットのそれぞれのサブセットに関するＵＬ復調基準信号伝送のスケジュールを受信することをさらに備えるＣ１に記載の方法。
［Ｃ４］
ＵＥ  ＩＤの前記セットを獲得することは、前記基地局から、ＵＥの前記セットのそれぞれのＵＥに関する媒体アクセス制御識別子、国際モビリティ識別子、無線一時ネットワーク識別子（ＲＮＴＩ）、制御ＲＮＴＩ、またはモバイル識別子を受信することをさらに備えるＣ１に記載の方法。
［Ｃ５］
それぞれのＵＥチャネル測定を獲得することは、前記ＵＬスケジューリング情報に従って送信されるＵＥの前記セットのサブセットのＵＬ信号のセットを測定することをさらに備えるＣ１に記載の方法。
［Ｃ６］
ＵＬ信号の前記セットを前記測定することの結果を前記基地局に転送することをさらに備えるＣ５に記載の方法。
［Ｃ７］
ＵＥの前記セットの前記サブセットにワイヤレスサービスを提供する前記割当てを受信することは、少なくとも部分的にＵＬ信号の前記セットを前記測定することの結果に基づくＣ６に記載の方法。
［Ｃ８］
前記割当ては、前記基地局に関連付けられたそれぞれの中継ノードによって実行されるＵＬ信号の前記セットの複数の独立した測定に基づき、さらに前記割当ては、前記中継ノードのサブセットのいずれが、ＵＥの前記セットの前記サブセットの前記１つまたは複数に好ましいサービスを提供するかに基づくＣ７に記載の方法。
［Ｃ９］
前記割当ては、増分冗長性ポリシーを利用してＵＥの前記セットの前記サブセットの前記１つまたは複数にサービスを提供するように複数の中継ノードのための命令を備えるＣ７に記載の方法。
［Ｃ１０］
前記増分冗長性ポリシーは、復号するため、信号調整するため、およびＵＥの前記セットの前記サブセットの前記１つまたは複数に再送信するために、特定のチャネルまたは特定のトラヒックを前記複数の中継ノードのそれぞれのノードと互いに関係付けることを含むＣ９に記載の方法。
［Ｃ１１］
前記割当ては、下記の少なくとも１つ以上の組み合わせを実行するＣ１に記載の方法：
ＵＥの前記セットの前記サブセットにサービスを提供するよう１つまたは複数のピコセルを割り当てること；
ＵＥの前記セットの前記サブセットにサービスを提供するよう１つまたは複数の遠隔無線ヘッドを割り当てること；
ＵＥの前記セットの前記サブセットにサービスを提供するよう１つまたは複数のスマートリピータを割り当てること；および、
ＵＥの前記セットの前記サブセットにサービスを提供するよう１つまたは複数の増分冗長中継器を割り当てること。
［Ｃ１２］
ワイヤレス通信のために構成された装置、該装置は下記を備える：
ＵＥを相手に、さらに前記装置に関連付けられ、前記装置から遠隔に配置されたアクセスポイントのセットを相手にワイヤレス信号を交換するために構成されたワイヤレス通信インターフェース；
相対アクセスチャネル測定に基づいて、前記ＵＥに選択的アクセスポイントサービスを提供するように構成された命令を格納するためのメモリ；および、
前記命令を実施するようにモジュールを実行するためのデータプロセッサ、
ここにおいて、前記モジュールは、下記を備える：
前記ＵＥに関する識別子（ＩＤ）および伝送スケジュールをアクセスポイントの前記セットと共有する配信モジュール；および、
アクセスポイントの前記セットのサブセットによって供給されるそれぞれのＵＥ信号測定に基づいて、前記ＵＥにサービスを提供すべきアクセスポイントの前記セットの少なくとも１つのアクセスポイントを選択する仲介モジュール。
［Ｃ１３］
前記それぞれのＵＥ信号測定の間で前記ＵＥ信号測定の特性が異なるかどうかを識別する分析モジュールをさらに備えるＣ１２に記載の装置。
［Ｃ１４］
前記特性は、前記ＵＥ信号測定の信号強度特性、信号品質特性、または信号雑音特性を備えるＣ１３に記載の装置。
［Ｃ１５］
前記特性は、信号強度、信号対雑音比、ライズオーバサーマル、パスロス、相対信号干渉、実現可能な帯域幅、または実現可能なデータレート、あるいは以上の組合せを備えるＣ１３に記載の装置。
［Ｃ１６］
前記仲介モジュールは、前記１つのアクセスポイントによって供給されるＵＥ信号測定に関する特性の値に基づいて、前記ＵＥにサービスを提供すべきアクセスポイントの前記セットの中の１つのアクセスポイントを選択するＣ１３に記載の装置。
［Ｃ１７］
前記仲介モジュールは、アクセスポイントの前記セットの前記サブセットの他のアクセスポイントによって供給されるそれぞれのＵＥ信号測定に関係のある前記特性のそれぞれの値と比べて、前記特定の前記値を分析するために前記メモリの中に格納された選択ポリシーを使用するＣ１６に記載の装置。
［Ｃ１８］
前記選択ポリシーは、前記特性の値の好ましい格付け、または前記特性の目標値を定義するＣ１７に記載の装置。
［Ｃ１９］
前記仲介モジュールは、前記特性の前記値が前記目標値に最も近いため、または前記特性の前記値が、前記好ましい格付けに基づいて、前記特性の前記それぞれの値を超えているために、前記１つのアクセスポイントを選択するＣ１８に記載の装置。
［Ｃ２０］
前記仲介モジュールは、アクセスポイントの前記セットの複数のアクセスポイントのそれぞれのＵＥ信号測定に関連する前記特性のそれぞれの値に基づいて、前記ＵＥにサービスを提供すべきアクセスポイントの前記セットの前記複数のアクセスポイントを選択するＣ１３に記載の装置。
［Ｃ２１］
前記ＵＥに関連するそれぞれのトラヒック、チャネル、またはデータストリームをアクセスポイントの前記セットの前記複数のアクセスポイントのそれぞれのアクセスポイントに割り当てて、前記ＵＥに関する増分冗長サービスを円滑にする冗長性ポリシーを生成する統合モジュールをさらに備えるＣ２０に記載の装置。
［Ｃ２２］
前記冗長性ポリシーは、アクセスポイントの前記セットの前記複数のアクセスポイントのそれぞれのアクセスポイントに前記それぞれのトラヒック、チャネル、またはデータストリームを、前記それぞれのトラヒック、チャネル、またはデータストリームに関係があるアクセスポイントの前記セットの前記複数のアクセスポイントによって供給されるそれぞれのＵＥ信号測定の１つまたは複数の特性に基づいて割り当てることを含むＣ２１に記載の装置。
［Ｃ２３］
下記の手段を備えるワイヤレス通信のための装置：
通信インターフェースを使用して、基地局によるサービスを受けるＵＥのセットに関するＵＥ  ＩＤのセットを獲得するための手段；
ＵＥの前記セットに関するＵＥ  ＩＤの前記セット、およびＵＬスケジューリング情報を利用して、それぞれのＵＥチャネル測定を獲得する信号プロセッサを使用するための手段；および、
少なくとも部分的に前記ＵＥチャネル測定の１つまたは複数に基づいてＵＥの前記セットのサブセットにワイヤレスサービスを提供する割当てを受信するために前記通信インターフェースを使用するための手段。
［Ｃ２４］
下記を備えるワイヤレス通信のために構成された少なくとも１つのプロセッサ：
基地局によるサービスを受けるＵＥのセットに関するＵＥ  ＩＤのセットを獲得するモジュール；
ＵＥの前記セットに関するＵＥ  ＩＤの前記セット、およびＵＬスケジューリング情報を利用して、それぞれのＵＥチャネル測定を獲得するモジュール；および、
少なくとも部分的に前記ＵＥチャネル測定の１つまたは複数に基づいてＵＥの前記セットのサブセットにワイヤレスサービスを提供する割当てを受信するモジュール。
［Ｃ２５］
下記のコードを記録したコンピュータ可読媒体を備えるコンピュータプログラム製品：
コンピュータに、基地局によるサービスを受けるＵＥのセットに関するＵＥ  ＩＤのセットを獲得させるコード；
前記コンピュータに、ＵＥの前記セットに関するＵＥ  ＩＤの前記セット、およびＵＬスケジューリング情報を利用して、それぞれのＵＥチャネル測定を獲得させるコード；および、
前記コンピュータに、少なくとも部分的に前記ＵＥチャネル測定の１つまたは複数に基づいてＵＥの前記セットのサブセットにワイヤレスサービスを提供する割当てを受信させるコード。
［Ｃ２６］
リソース割当てを備えるワイヤレス信号をＵＥのセットに直接に送信し、前記リソース割当ては、共通のワイヤレスリソース上にＵＥの前記セットの各ＵＥに関する伝送をスケジュールすること、および
１つまたは複数のワイヤレスノード経由でＵＥの前記セットへのデータ伝送、またはＵＥの前記セットからのデータ伝送をルーティングして、少なくとも、前記データ伝送に関する前記共通のワイヤレスリソース上でセル分割利得を実現することを備えるワイヤレス通信の方法。
［Ｃ２７］
前記共通のワイヤレスリソースのために共通のアップリンク（ＵＬ）ワイヤレスリソースを使用することをさらに備え、前記データ伝送は、前記１つまたは複数のワイヤレスノード経由でＵＥの前記セットから受信され、さらに前記セル分割利得は、前記共通のＵＬワイヤレスリソース上で観測されるＣ２６に記載の方法。
［Ｃ２８］
前記１つまたは複数のワイヤレスノードのそれぞれのノードから共通のＤＬワイヤレスリソース上でＤＬデータ伝送をルーティングして、前記共通のＤＬワイヤレスリソース上でＤＬセル分割利得を実現することをさらに備えるＣ２６に記載の方法。
［Ｃ２９］
ＵＥの前記セットの各ＵＥに関するＤＬデータ伝送およびＵＬデータ伝送をルーティングするためにそれぞれのワイヤレス中継器を使用すること、または
ＵＥの前記セットの少なくとも１つのＵＥに関する前記ＤＬデータ伝送または前記ＵＬデータ伝送をルーティングするために複数のワイヤレス中継器を使用することの少なくともいずれかをさらに備えるＣ２６に記載の方法。
［Ｃ３０］
前記１つまたは複数のワイヤレスノードのＤＬ送信範囲を、基地局に、前記１つまたは複数のワイヤレスノードによって使用されるＤＬワイヤレスリソースのセットを空白にさせることによって、増大させることをさらに備えるＣ２６に記載の方法。
［Ｃ３１］
ＵＥの前記セットの少なくとも１つのＵＥのＵＬ送信範囲を、ＵＥの前記セットのさらなる少なくとも１つのＵＥに、ＵＥの前記セットの前記少なくとも１つのＵＥによって使用されるＵＬワイヤレスリソースのセットを空白にするよう命令することによって、増大させることをさらに備えるＣ２６に記載の方法。
［Ｃ３２］
ＵＥの前記セットのサブセットにそれぞれのスクランブリング符号を割り当てて、前記共通のワイヤレスリソース上で同時に送られる複数の前記データ伝送のそれぞれのデータ伝送を区別することを円滑にすることをさらに備えるＣ２６に記載の方法。
［Ｃ３３］
所定のスクランブリング符号のセットから前記スクランブリング符号を導き出すこと、または
ＵＥの前記セットの前記サブセットのそれぞれのＵＥに一意の識別子に応じて前記スクランブリング符号を生成することの少なくともいずれかをさらに備えるＣ３２に記載の方法。
［Ｃ３４］
前記スクランブリング符号を割り当てることは、下記の少なくともいずれかをさらに備えるＣ３２に記載の方法：
ＵＥの前記セットの前記サブセットのそれぞれのＵＥにスクランブリング符号シードまたはスクランブリング符号シーディング関数を送って、前記スクランブリング符号の１つの符号の生成を可能にすること；
物理層制御チャネルまたは層２制御チャネルを利用して、前記スクランブリング符号の１つまたは複数を備える割当て許可を送信すること；または
層３シグナリングを使用して、ＵＥの前記セットの前記サブセットの１つまたは複数のＵＥに前記スクランブリング符号を明示的に送ること。
［Ｃ３５］
下記の少なくともいずれかによって、前記１つまたは複数のワイヤレスノードとＵＥの前記セットの間の中継チャネルの前記セットに関係のあるＣＱＩ情報を獲得することをさらに備えるＣ２６に記載の方法：
中継チャネルのセットのそれぞれの中継チャネルに関する時分割複信（ＴＤＤ）チャネル相互関係を使用して、前記１つまたは複数のワイヤレスノードのそれぞれのノードに対するそれぞれのパスロスを推定すること；または、
ＵＥの前記セットの前記サブセットによって送信された低再使用中継器専用チャネル品質指標（ＣＱＩ）基準信号を分析して、ＵＥの前記セットの前記サブセットに関連付けられたそれぞれのアクセスチャネルに関する実現可能なＣＱＩを推定すること。
［Ｃ３６］
下記をさらに備えるＣ２６に記載の方法：
有線またはワイヤレスのバックホールリンクを介して前記１つまたは複数のワイヤレスノードの少なくとも１つからＵＬ信号測定を獲得すること；
前記ＵＬ信号測定を分析して、前記１つまたは複数のワイヤレスノードの少なくとも１つによるサービスを受けるＵＥの前記セットの１つまたは複数のＵＥに関するＵＬ電力制御のセットを導き出すこと；および、
ＵＬ電力制御の前記セットに基づいて、前記１つまたは複数のワイヤレスノードの少なくとも１つを介して前記１つまたは複数のＵＥにＵＬ電力制御コマンドを発行すること。
［Ｃ３７］
ワイヤレス通信のために構成された装置、該装置は下記を備える：
基地局を相手に、さらにＵＥのセットを相手にワイヤレス信号を交換するために構成された通信インターフェース；
ＵＥの前記セットの１つまたは複数のＵＥに関する遠隔ノードによって支援されたワイヤレスサービスを提供するように構成された命令を格納するためのメモリ；および、
前記命令を実施するモジュールを実行するためのデータプロセッサ、
ここにおいて、前記モジュールは、下記を備える：
装置に関連付けられた複数のワイヤレスノードによって提供されるワイヤレスリソースの単一のセットを、ＵＥの前記セットにかかわる複数のデータストリームに割り当てる、ＵＥの前記セットに関するリソーススケジュールを生成するスケジューリングモジュール；および、
前記通信インターフェースを使用して、前記複数のデータストリームに参加する前記複数のワイヤレスノードのそれぞれのノードに前記リソーススケジュールを送る配信モジュール。
［Ｃ３８］
前記スケジューリングモジュールは、前記複数のワイヤレスノードのそれぞれのノードに前記複数のデータストリームのそれぞれのデータストリームを割り当てるＣ３７に記載の装置。
［Ｃ３９］
前記スケジューリングモジュールは、前記複数のワイヤレスノードの１つまたは複数をそれぞれが備える前記複数のワイヤレスノードのそれぞれのサブセットに前記複数のデータストリームのそれぞれのデータストリームを割り当てるＣ３７に記載の装置。
［Ｃ４０］
前記複数のワイヤレスノードの複数のノードを備える前記複数のワイヤレスノードの前記サブセットの１つのサブセットに関する増分冗長性ポリシーを確立する統合モジュールをさらに備えるＣ３９に記載の装置。
［Ｃ４１］
前記増分冗長性ポリシーは、前記複数のワイヤレスノードの前記サブセットの前記１つのサブセットのそれぞれのワイヤレスノードにデータストリームのいくつかの部分を割り当てることを含むＣ４０に記載の装置。
［Ｃ４２］
ワイヤレスリソースの前記単一のセットと同時である装置の伝送の電力を低減する減衰モジュールをさらに備えるＣ３７に記載の装置。
［Ｃ４３］
前記スケジューリングモジュールは、ワイヤレスリソースの前記単一のセットと同時である前記装置の前記伝送をスケジュール変更し、さらに前記減衰モジュールは、ワイヤレスリソースの前記単一のセットと同時である伝送タイムスロット中、装置の送信電力を０に低減するＣ４２に記載の装置。
［Ｃ４４］
前記複数のワイヤレスノードとＵＥの前記セットの間の複数の伝送を区別するように前記複数のデータストリームの１つまたは複数に関する直交符号を円滑にする符号化モジュールをさらに備えるＣ３７に記載の装置。
［Ｃ４５］
前記複数のワイヤレスノードとＵＥの前記セットの間で確立されたワイヤレスチャネルにおけるパスロスを推定するように時分割複信（ＴＤＤ）チャネル相互関係を使用する推定モジュールをさらに備えるＣ３７に記載の装置。
［Ｃ４６］
前記スケジューリングモジュールは、前記リソーススケジュール内に、ＵＥの前記セットの１つのＵＥが低再使用ノード専用のチャネル品質指標基準信号（低再使用ノード専用のＣＱＩ−ＲＳ）を送信するようにするコマンドを含み、
前記通信インターフェースは、ＵＥの前記セットの前記１つのＵＥからアップリンクチャネル上で前記低再使用ノード専用のＣＱＩ−ＲＳを受信し、さらに
前記測定モジュールは、前記低再使用ノード専用のＣＱＩ−ＲＳを分析して、ＵＥの前記セットの前記１つのＵＥによって利用されるワイヤレスチャネルに関するパスロスを推定するＣ３７に記載の装置。
［Ｃ４７］
前記複数のワイヤレスノードの１つまたは複数は、
トランスペアレントなリピータ、
トランスペアレントなワイヤレス中継器、
トランスペアレントなピコセル、
遠隔無線ヘッド、
スマートリピータ、
増分冗長中継器、または
以上の組合せを備えるＣ３７に記載の装置。
［Ｃ４８］
下記手段を備えるワイヤレス通信のために構成された装置：
ＵＥのセットに、共通のワイヤレスリソース上でＵＥの前記セットの各ＵＥに関する伝送をスケジュールするリソース割当てを直接に送信するようにワイヤレストランシーバを使用するための手段；および、
１つまたは複数のワイヤレスノード経由でＵＥの前記セットのそれぞれのデータ伝送をルーティングして、少なくとも前記共通ワイヤレスリソース上で、前記データ伝送の少なくとも１つに関するセル分割利得を実現するように前記ワイヤレストランシーバを使用するための手段。
［Ｃ４９］
下記を備えるワイヤレス通信のために構成された少なくとも１つのプロセッサ：
ＵＥのセットに、共通のワイヤレスリソース上でＵＥの前記セットの各ＵＥに関する伝送をスケジュールするリソース割当てを直接に送信するモジュール；および、
１つまたは複数のワイヤレスノード経由でＵＥの前記セットのそれぞれのデータ伝送をルーティングして、少なくとも前記共通ワイヤレスリソース上で、前記データ伝送の少なくとも１つに関するセル分割利得を実現するモジュール。
［Ｃ５０］
下記コードを記録したコンピュータ可読媒体を備えるコンピュータプログラム製品：
共通のワイヤレスリソース上で、ＵＥのセットに対して、ＵＥの前記セットの各ＵＥに関する伝送をスケジュールするリソース割当てを直接に、コンピュータに送信させるためのコード；および、
前記コンピュータに、１つまたは複数のワイヤレスノード経由でＵＥの前記セットのそれぞれのデータ伝送をルーティングさせて、少なくとも前記共通ワイヤレスリソース上で、前記データ伝送の少なくとも１つに関するセル分割利得を実現するためのコード。
【外国語明細書】
2014112842000001.pdf